(57)【要約】  オーディオ処理器（１０）は、入力インターフェースと、検出器インターフェース（３２）と、ミキサー（２２）と、出力インターフェースとを備える。入力インターフェースは、少なくとも２つの入力オーディオチャネルを受信し、各入力オーディオチャネルは少なくとも１つのスピーカ軸上の少なくとも２個のスピーカの所定の再生位置と関連付けられている。検出器インターフェース（３２）は、リスナーの耳軸に対する少なくとも２個のスピーカの位置についての情報を示す位置信号（１８）を受信し、耳軸と少なくとも１つのスピーカ軸とは互いに対して０°よりも大きく１８０°よりも小さい角度を有する。ミキサー（２２）は、位置信号（１８）に依存して少なくとも２つの入力オーディオチャネルをミキシングし、少なくとも２つの出力チャネルを得る。第１角度が第２角度よりも大きいとき、耳軸とスピーカ軸との間の第１角度に係る第１出力チャネル中の第２入力オーディオチャネルの部分が、耳軸とスピーカ軸との間の第２角度に係る第１出力チャネル中の第２入力オーディオチャネルの部分よりも大きくなるようにミキシングし、更に第１角度が第２角度よりも大きいとき、第１角度に係る第２出力チャネル中の第１入力オーディオチャネルの部分が、第２角度に係る第２出力チャネル中の第１入力オーディオチャネルの部分よりも大きくなるようにミキシングする。出力インターフェースは、少なくとも２つの出力チャネルを少なくとも２個のスピーカに出力する。【選択図】図１
2016527809.tif 000002
【特許請求の範囲】
【請求項１】
オーディオ処理器（１０）であって、
−少なくとも２つの入力オーディオチャネル（１２1、１２2；１２3、１２4；１２5）を受信する入力インターフェースであって、各入力オーディオチャネル（１２1、１２2；１２3、１２4；１２5）は少なくとも１つのスピーカ軸（１６）上の少なくとも２個のスピーカ（２６1、２６2）の所定の再生位置と関連付けられている、入力インターフェースと、
−リスナー（２８）の耳軸（２０）に対する前記少なくとも２個のスピーカ（２６1、２６2）の位置についての情報を示す位置信号（１８）を受信する検出器インターフェース（３２）であって、前記耳軸（２０）と前記少なくとも１つのスピーカ軸（１６）とは互いに対して０°よりも大きく１８０°よりも小さい角度（３６）を有する、検出器インターフェース（３２）と、
−前記位置信号（１８）に依存して前記少なくとも２つの入力オーディオチャネル（１２1、１２2；１２3、１２4；１２5）をミキシングし、少なくとも２つの出力チャネル（１４1、１４2）を得るミキサー（２２）であって、
第１角度（３６）が第２角度（３６）よりも大きいとき、前記耳軸（２０）と前記スピーカ軸（１６）との間の前記第１角度（３６）に係る第１出力チャネル（１４1）中の第２入力オーディオチャネル（１２2）の部分が、前記耳軸（２０）と前記スピーカ軸（１６）との間の前記第２角度（３６）に係る前記第１出力チャネル（１４1）中の前記第２入力オーディオチャネル（１２2）の部分よりも大きくなるようにミキシングするか、又は、
第１角度（３６）が第２角度（３６）よりも大きいとき、前記第１角度（３６）に係る前記第２出力チャネル（１４2）中の第１入力オーディオチャネル（１２1）の部分が、前記第２角度（３６）に係る前記第２出力チャネル（１４2）中の前記第１入力オーディオチャネル（１２1）の部分よりも大きくなるようにミキシングする、ミキサーと、
−前記少なくとも２つの出力チャネル（１４1、１４2）を前記少なくとも２個のスピーカ（２６1、２６2）に出力する出力インターフェースと、
を備えるオーディオ処理器。
【請求項２】
前記入力インターフェースは、前記第１入力オーディオチャネル（１２1）として左チャネル（Ｌ）を受信し、前記第２入力オーディオチャネル（１２2）として右チャネル（Ｒ）を受信するよう構成されており、
前記角度（３６）が０°と９０°との間のとき、前記第１出力チャネル（１４1）中の前記左チャネル（Ｌ）の部分が前記右チャネル（Ｒ）の部分よりも大きく、
前記角度（３６）が０°と９０°との間のとき、前記第２出力チャネル（１４2）中の前記右チャネル（Ｒ）の部分が前記左チャネル（Ｌ）の部分よりも大きく、
前記角度（３６）が９０°と１８０°との間のとき、前記第１出力チャネル（１４1）中の前記右チャネル（Ｒ）の部分が前記左チャネル（Ｌ）の部分よりも大きく、
前記角度（３６）が９０°と１８０°との間のとき、前記第２出力チャネル（１４2）中の前記左チャネル（Ｌ）の部分が前記右チャネル（Ｒ）の部分よりも大きい、
請求項１に記載のオーディオ処理器。
【請求項３】
前記入力インターフェースは、第３入力オーディオチャネル（１２3）として左上チャネル（ＨＬ）を受信し、第４入力オーディオチャネル（１２4）として右上チャネル（ＨＲ）を受信するよう構成されており、
前記角度（３６）が０°と９０°との間のとき、前記第１出力チャネル（１４1）中の前記左上チャネル（ＨＬ）の部分が前記右チャネル（Ｒ）の部分よりも大きく、
前記角度（３６）が０°と９０°との間のとき、前記第２出力チャネル（１４2）中の前記右チャネル（Ｒ）の部分が前記左上チャネル（ＨＬ）の部分よりも大きく、
前記角度（３６）が９０°と１８０°との間のとき、前記第１出力チャネル（１４1）中の前記右上チャネル（ＨＲ）の部分が前記左チャネル（Ｌ）の部分よりも大きく、
前記角度（３６）が９０°と１８０°との間のとき、前記第２出力チャネル（１４2）中の前記左チャネル（Ｌ）の部分が前記右上チャネル（ＨＲ）の部分よりも大きい、
請求項１又は２に記載のオーディオ処理器。
【請求項４】
前記入力インターフェースは、上側チャネル（Ｈ）を受信するよう構成されており、
前記角度（３６）が０°と９０°との間のとき、前記第１出力チャネル（１４1）中の前記上側チャネル（Ｈ）の部分が前記右チャネル（Ｒ）の部分よりも大きく、
前記角度（３６）が０°と９０°との間のとき、前記第２出力チャネル（１４2）中の前記右チャネル（Ｒ）の部分が前記上側チャネル（Ｈ）の部分よりも大きく、
前記角度（３６）が９０°と１８０°との間のとき、前記第１出力チャネル（１４1）中の前記上側チャネル（Ｈ）の部分が前記左チャネル（Ｌ）の部分よりも大きく、
前記角度（３６）が９０°と１８０°との間のとき、前記第２出力チャネル（１４2）中の前記左チャネル（Ｌ）の部分が前記上側チャネル（Ｈ）の部分よりも大きい、
請求項１又は２に記載のオーディオ処理器。
【請求項５】
前記入力インターフェースは、前記第１入力オーディオチャネル（１２1）として前記左チャネル（Ｌ）を受信し、前記第２入力オーディオチャネル（１２2）として前記右チャネル（Ｒ）を受信し、前記第３入力オーディオチャネル（１２3）として前記左上チャネル（ＨＬ）を受信し、前記第４入力オーディオチャネル（１２4）として前記右上チャネル（ＨＲ）を受信するよう構成されており、
前記ミキサー（２２）は、９０°に等しい角度（３６）について、全体で３０％を超える前記第３入力オーディオチャネル（１２3）からの部分と３０％を超える前記第４入力オーディオチャネル（１２4）からの部分とを含む前記第１出力チャネル（１４1）、及び、全体で３０％を超える前記第１入力オーディオチャネル（１２1）からの部分と３０％を超える前記第２入力オーディオチャネル（１２2）からの部分とを含む前記第２出力チャネル（１４2）を生成するよう構成されている、
請求項１又は３に記載のオーディオ処理器。
【請求項６】
前記入力インターフェースは、前記第１入力オーディオチャネル（１２1）として前記左チャネル（Ｌ）を受信し、前記第２入力オーディオチャネル（１２2）として前記右チャネル（Ｒ）を受信し、第５入力オーディオチャネル（１２5）として前記上側チャネル（Ｈ）を受信するよう構成されており、
前記ミキサー（２２）は、９０°に等しい角度（３６）について、前記第５入力オーディオチャネル（１２5）を含む前記第１出力チャネル（１４1）、及び、前記第１入力オーディオチャネル（１２1）と前記第２入力オーディオチャネル（１２2）との組み合わせを含む前記第２出力チャネル（１４2）を生成するよう構成されている、請求項１又は４に記載のオーディオ処理器。
【請求項７】
前記ミキサー（２２）は、前記第１出力チャネル（１４1）中の前記第２入力チャネル（１２2）の部分、前記第２出力チャネル（１４2）中の前記第１入力チャネル（１２1）の部分、前記第１出力チャネル（１４1）中の前記第１入力チャネル（１２1）の部分、又は前記第２出力チャネル（１４2）中の前記第２入力チャネル（１２2）の部分が、対応する他の部分に対して遅延されるよう構成されている、請求項１〜６のいずれか一項に記載のオーディオ処理器。
【請求項８】
前記ミキサー（２２）は可変行列要素を有する行列処理部を含み、前記可変行列要素は前記位置信号に基づいて適合されている、請求項１〜７のいずれか一項に記載のオーディオ処理器。
【請求項９】
前記行列処理部は複素行列要素を使用するよう構成されている、請求項１〜８のいずれか一項に記載のオーディオ処理器。
【請求項１０】
前記ミキサー（２２）は、
第１処理（Ｋ１）済みの第１入力オーディオチャネル（１２1）と第３処理（Ｋ３）済みの第２入力オーディオチャネル（１２2）とを加算する第１加算器（２４1）と、
第２処理（Ｋ２）済みの第１入力オーディオチャネル（１２2）と第４処理（Ｋ４）済みの第２入力オーディオチャネル（１２2）とを加算する第２加算器（２４2）とを備え、
前記第１処理（Ｋ１）済みの第１入力オーディオチャネル（１２1）は、第１ゲイン値を有する第１処理部（３４1）を使用して処理されており、
前記第２処理（Ｋ２）済みの第１入力オーディオチャネル（１２1）は、第２ゲイン値を有する第２処理部（３４2）を使用して処理されており、
前記第３処理（Ｋ３）済みの第２入力オーディオチャネル（１２2）は、第３ゲイン値を有する第３処理部（３４3）を使用して処理されており、
前記第４処理（Ｋ４）済みの第２入力オーディオチャネル（１２2）は、第４ゲイン値を有する第４処理部（３４4）を使用して処理されており、
前記第１ゲイン値と前記第４ゲイン値とは４５°と１３５°との間において減少し、前記第２ゲイン値と前記第３ゲイン値とは４５°と１３５°との間において増大する、請求項１〜９のいずれか一項に記載のオーディオ処理器。
【請求項１１】
電気デバイス（３０）であって、
−請求項１〜１０のいずれか一項に記載のオーディオ処理器（１０）と、
−前記少なくとも２個のスピーカ（２６1、２６2）と、
−リスナー（２８）の耳軸（２０）に対する前記少なくとも２個のスピーカ（２６1、２６2）の位置についての情報を検出し、前記検出器インターフェース（３２）に連結される位置信号（１８）を生成するための検出器（４０）と、を備える電気デバイス。
【請求項１２】
オーディオ処理のための方法であって、
−少なくとも２つの入力オーディオチャネル（１２1、１２2；１２3、１２4；１２5）を受信するステップであって、各入力オーディオチャネル（１２1、１２2；１２3、１２4；１２5）は少なくとも１つのスピーカ軸（１６）上の少なくとも２個のスピーカ（２６1、２６2）の所定の再生位置と関連付けられている、ステップと、
−リスナー（２８）の耳軸（２０）に対する前記少なくとも２個のスピーカ（２６1、２６2）の位置についての情報を示す位置信号（１８）を受信するステップであって、前記耳軸（２０）と前記少なくとも１つのスピーカ軸（１６）とは、互いに対して０°よりも大きく１８０°よりも小さい角度（３６）を有する、ステップと、
−前記位置信号（１８）に依存して前記少なくとも２つの入力オーディオチャネル（１２1、１２2；１２3、１２4；１２5）をミキシングし、少なくとも２つの出力チャネル（１４1、１４2）を得るステップであって、
第１角度（３６）が第２角度（３６）よりも大きいとき、前記第１角度（３６）に係る第１出力チャネル（１４1）中の第２入力オーディオチャネル（１２2）の部分が、前記第２角度（３６）に係る前記第１出力チャネル（１４1）中の前記第２入力オーディオチャネル（１２2）の部分よりも大きくなるようにミキシングするか、又は、
第１角度（３６）が第２角度（３６）よりも大きいとき、前記第１角度（３６）に係る前記第２出力チャネル（１４2）中の第１入力オーディオチャネル（１２1）の部分が、前記第２角度（３６）に係る前記第２出力チャネル（１４2）中の前記第１入力オーディオチャネル（１２1）の部分よりも大きくなるようにミキシングする、ステップと、
−前記少なくとも２つの出力チャネル（１４1、１４2）を前記少なくとも２個のスピーカ（２６1、２６2）に出力するステップと、
を含む方法。
【請求項１３】
コンピュータ又はプロセッサ上で作動されたとき、請求項１２に記載の方法を実行するための、プログラムコードを含むコンピュータプログラム。
【発明の詳細な説明】
【技術分野】
【０００１】
本発明は、オーディオ処理器及びオーディオ処理のための方法に関する。更に、本発明は、そのようなオーディオ処理器を備える電気デバイスに関する。
【背景技術】
【０００２】
現行の技術水準において、例えば、入力信号から出力信号を生成し、出力信号の少なくとも１つをスピーカの所定の再生位置と関連付けることができるオーディオ処理器が知られている。そのような出力信号は、オーディオ機器から固定して設置されたスピーカに印加されてもよい。そのようなオーディオ機器のスピーカは、室内で、スピーカの所定の位置又はリスナーの所定の主たる位置に依存して位置付けられる。
【０００３】
電気デバイス、例えばタブレットＰＣ又は携帯電話について、スピーカは所定の再生位置を有してもよい。モバイル機器又はリスナーが互いに対する位置を変えると、スピーカの再生位置がリスナーに対して不適切となる可能性がある。現行の技術水準において、スピーカ信号を交換する切替器が知られている。この切替装置は、特定のスピーカ位置を決定付ける信号を所定の位置に近いスピーカに切り替えるものであり、例えば、スピーカの位置を１８０°変化させなければならないとき、左スピーカに対する信号を右スピーカに印加される信号に切り替え、右スピーカに対する信号を左スピーカに印加される信号に切り替える。
【０００４】
そのような切替装置は、２つの状態の間でしか切り替えることができない。更に、スピーカの１つの位置から別の位置への切り替え動作によって、リスナーへの音響印象が悪影響を受ける。
【発明の概要】
【発明が解決しようとする課題】
【０００５】
本発明の目的は、スピーカにオーディオ信号を提供することができるオーディオ処理器を提供することであり、切り替えプロセスを介した音響印象への悪影響を低減することを同時に考慮しながら、所定のスピーカ位置のためのスピーカ信号がリスナーに対して精細に調整されるようにすることである。本発明の更なる目的は、そのようなオーディオ処理器を使用する電気デバイスを提供することである。
【課題を解決するための手段】
【０００６】
この目的は、独立請求項の主題によって解決される。
【０００７】
本発明の一実施形態によれば、オーディオ処理器は、入力インターフェースと、検出器インターフェースと、ミキサーと、出力インターフェースとを備える。入力インターフェースは少なくとも２つの入力オーディオチャネルを受信し、各入力オーディオチャネルは、少なくとも１つのスピーカ軸上の少なくとも２個のスピーカの所定の再生位置と関連付けられている。検出器インターフェースは、リスナーの耳軸に対する少なくとも２個のスピーカの位置についての情報を示す位置信号を受信し、耳軸と少なくとも１つのスピーカ軸とは、互いに対して０°よりも大きく１８０°よりも小さいある角度を有する。ミキサーは、位置信号に依存して、少なくとも２つの入力オーディオチャネルをミキシングして少なくとも２つの出力チャネルを得るが、耳軸とスピーカ軸との間の第１角度に係る第１出力チャネル中の第２入力オーディオチャネルの部分が、耳軸とスピーカ軸との間の第２角度に係る第１出力チャネル中の第２入力オーディオチャネルの部分より大きくなるようにミキシングし、このとき第１角度は第２角度よりも大きい。更に、第１角度に係る第２出力チャネル中の第１入力オーディオチャネルの部分は、第２角度に係る第２出力チャネル中の第１入力オーディオチャネルの部分より大きく、このとき第１角度は第２角度より大きい。更にまた、第１角度に係る第１出力チャネル中の第１入力オーディオチャネルの部分は、第２角度に係る第１出力チャネル中の第１入力オーディオチャネルの部分より小さくてもよく、このとき第１角度は第２角度より大きい。更に、第１角度に係る第２出力チャネル中の第２入力オーディオチャネルの部分は、第２角度に係る第２出力チャネル中の第２入力オーディオチャネルの部分より小さくてもよく、このとき第１角度は第２角度よりも大きい。出力インターフェースは、少なくとも２つの出力チャネルを少なくとも２個のスピーカに出力する。
【０００８】
オーディオ処理器は、リスナーの耳軸に対するスピーカの位置についての情報を示す位置信号を受信する。ミキサーは、この位置信号に依存して、スピーカの所定の再生位置用に設計されている各入力オーディオ信号に対してミキシングを行い、スピーカの各々について出力信号を得ることができる。位置信号は、スピーカに対するリスナーの位置が自動的に収集され、かつオーディオ処理器がスピーカの所定の再生位置とリスナーの耳軸に対するスピーカの真の位置との間の差を補償できるように、検出器によって生成されてもよい。ミキサーは、スピーカ間でのみ切り替え可能な切替装置よりも円滑に、入力オーディオ信号を出力チャネルへとミキシングすることが可能である。
【０００９】
オーディオ処理器の好ましい一実施形態において、入力インターフェースは、第１入力オーディオチャネルとして左チャネルを受信し、第２入力オーディオチャネルとして右チャネルを受信するよう構成されている。第１出力チャネル中の左チャネルの部分は右チャネルの部分よりも大きく、このとき角度は０°と９０°との間であり、第２出力チャネル中の右チャネルの部分は左チャネルの部分よりも大きく、このとき角度は０°と９０°との間である。更に、第１出力チャネル中の右チャネルの部分は左チャネルの部分よりも大きく、このとき角度は９０°と１８０°との間であり、第２出力チャネル中の左チャネルの部分は右チャネルの部分よりも大きく、このとき角度は９０°と１８０°との間である。０°と９０°との間である角度において、左チャネルの主要部分を第１出力チャネルに割り当て、右チャネルの主要部分を第２出力チャネルに割り当てることを通じて、第１出力チャネルをリスナーに対して左側のスピーカに適用することができ、第２出力チャネルを右側のスピーカに適用することができる。角度が９０°と１８０°との間であるとき、右チャネルの主要部分は第１出力チャネルに割り当てられ、左チャネルの主要部分は第２出力チャネルに割り当てられる。それにより、スピーカの所定の位置がスピーカの真の位置と対応するように、第１出力チャネルをリスナーに対して右側にあるスピーカに適用し、第２出力チャネルを左側にあるスピーカに適用することができる。
【００１０】
オーディオ処理器の好ましい一実施形態において、入力インターフェースは、第３入力オーディオチャネルとして左上チャネルを受信し、第４入力オーディオチャネルとして右上チャネルを受信するよう構成されている。更に、第１出力チャネル中の左上チャネルの部分は右チャネルの部分よりも大きく、このとき角度は０°と９０°との間であり、第２出力チャネル中の右チャネルの部分は左上チャネルの部分よりも大きく、このとき角度は０°と９０°との間である。更に、第１出力チャネル中の右上チャネルの部分は左チャネルの部分よりも大きく、このとき角度は９０°と１８０°との間であり、第２出力チャネル中の左チャネルの部分は右上チャネルの部分よりも大きく、このとき角度は９０°と１８０°との間である。角度が０°と９０°との間であるとき、第１出力チャネルは左上チャネルの所定の再生位置に近く、第２出力チャネルは右チャネルの所定の再生位置に近く、従って、音響印象を改善するために、左上チャネルは第１出力チャネルに適用されるべきであり、右チャネルは第２出力チャネルに適用されるべきである。更に、第１出力チャネルは右チャネルの所定の再生位置から更に離れており、第２出力チャネルは左上チャネルの所定の再生位置から更に離れている。従って、音響印象を改善するために、右チャネルは第１出力チャネルに適用されるべきでなく、左上チャネルは第２出力チャネルに適用されるべきでない。角度が９０°と１８０°との間であるとき、第１出力チャネルは右上チャネルの所定の再生位置に近く、第２出力チャネルは左チャネルの所定の再生位置に近く、従って、音響印象を改善するために、右上チャネルは第１出力チャネルに適用されるべきであり、左チャネルは第２出力チャネルに適用されるべきである。更に、第１出力チャネルは左チャネルの所定の再生位置から更に離れており、第２出力チャネルは右上チャネルの所定の再生位置から更に離れており、従って、音響印象を改善するために、左チャネルは第１出力チャネルに適用されるべきでなく、右上チャネルは第２出力チャネルに適用されるべきでない。
【００１１】
オーディオ処理器の好ましい一実施形態において、入力インターフェースは上側チャネルを受信するように構成されている。第１出力チャネル中の上側チャネルの部分は右チャネルの部分よりも大きく、このとき角度は０°と９０°との間であり、第２出力チャネル中の右チャネルの部分は上側チャネルの部分よりも大きく、このとき角度は０°と９０°との間である。更に、第１出力チャネル中の上側チャネルの部分は左チャネルの部分よりも大きく、このとき角度は９０°と１８０°との間であり、第２出力チャネル中の左チャネルの部分は上側チャネルの部分よりも大きく、このとき角度は９０°と１８０°との間である。角度が０°と９０°との間であるとき、第１出力チャネルは上側チャネルの所定の再生位置に近く、第２出力チャネルは右チャネルの所定の再生位置に近い。従って、リスナーへの音響印象を改善するために、上側チャネルの大半は第１出力チャネルに適用されてもよく、右チャネルの大半は第２出力チャネルに適用されてもよい。更に、この角度範囲において、上側チャネル及び右チャネルは反対側の出力チャネルに適用されないか、又は、ほんの僅かだけ適用されてもよい。更に、９０°と１８０°との間の角度においては、第１出力チャネルは依然として上側チャネルの所定の再生位置に近く、第２出力チャネルは左チャネルの所定の再生位置に近い。従って、リスナーへの音響印象を改善するために、上側チャネルの大半は第１出力チャネルに適用されてもよく、左チャネルの大半は第２出力チャネルに適用されてもよい。更に、この角度範囲において、上側チャネル及び左チャネルは反対側の出力チャネルに適用されないか、又はほんの僅かだけ適用されてもよい。
【００１２】
オーディオ処理器の好ましい一実施形態において、入力インターフェースは、第１入力オーディオチャネルとして左チャネルを受信し、第２入力オーディオチャネルとして右チャネルを受信し、第３入力オーディオチャネルとして左上チャネルを受信し、第４入力オーディオチャネルとして右上チャネルを受信するよう構成されている。ミキサーは、９０°と等しい角度について、第１出力チャネル及び第２出力チャネルを生成するよう構成されている。第１出力チャネルは、全体で、第３入力オーディオチャネルからの３０％を超える部分、及び、第４入力オーディオチャネルからの３０％を超える部分を含む。第２出力チャネルは、全体で、第１入力オーディオチャネルからの３０％を超える部分、及び、第２入力オーディオチャネルからの３０％を超える部分を含む。４つの入力オーディオチャネルを有するデバイスによって、入力オーディオチャネルの部分を上述のように出力チャネルへと分配することにより、リスナーの耳軸に関して、リスナーにとっての音響印象が改善する。
【００１３】
オーディオ処理器の好ましい一実施形態において、入力インターフェースは、第１入力オーディオチャネルとして左チャネルを受信し、第２入力オーディオチャネルとして右チャネルを受信し、例えば第５入力オーディオチャネルとして上側チャネルを受信するよう構成されている。ミキサーは、９０°と等しい角度について、第５入力オーディオチャネルを含む第１出力チャネル、及び、第１入力オーディオチャネルと第２入力オーディオチャネルとの組み合わせを含む第２出力チャネルを生成するよう構成されている。３つの入力オーディオチャネルを有するデバイスによって、入力オーディオチャネルの部分を上述のように出力チャネルへと分配することにより、リスナーの耳軸に関して、リスナーにとっての音響印象が改善する。
【００１４】
オーディオ処理器の好ましい一実施形態において、ミキサーは、第１出力チャネル中の第２入力チャネルの部分、第２出力チャネル中の第１入力チャネルの部分、第１出力チャネル中の第１入力チャネルの部分、又は第２出力チャネル中の第２入力チャネルの部分が、対応する他の部分に対して遅延されるよう構成されている。この遅延を通じて、耳軸に平行なスピーカのシフトを補償することができる。
【００１５】
オーディオ処理器の好ましい一実施形態において、ミキサーは、可変行列要素を有する行列処理部を含み、それら可変行列要素は位置信号に基づいて適合されている。行列処理部は、オーディオ処理器の符号化及び処理部による出力チャネルの生成を容易にする。
【００１６】
入力オーディオチャネル及び出力チャネルの数に依存して、様々な数の行及び様々な数の列を有する行列が実現可能である。
【００１７】
オーディオ処理器の好ましい一実施形態において、行列処理部は、複素行列要素を使用するよう構成されている。複素行列要素を通じて、オーディオ信号からの時間シフトを達成することができ、その結果、スピーカをリスナーの耳軸に平行にシフトすることができ、リスナーに対するスピーカ音の信号伝搬遅延時間を補償することができる。
【００１８】
オーディオ処理器の好ましい一実施形態において、ミキサーは、第１加算器及び第２加算器を備える。第１加算器は第１処理済みの第１入力オーディオチャネルと第３処理済みの第２入力オーディオチャネルとを加算し、第２加算器は第２処理済みの第１入力オーディオチャネルと第４処理済みの第２入力オーディオチャネルとを加算する。第１処理済みの第１入力オーディオチャネルは、第１ゲイン値を有する第１処理部を使用して処理されている。第２処理済みの第１入力オーディオチャネルは、第２ゲイン値を有する第２処理部を使用して処理されている。第３処理済みの第２入力オーディオチャネルは、第３ゲイン値を有する第３処理部を使用して処理されている。第４処理済みの第２入力オーディオチャネルは、第４ゲイン値を有する第４処理部を使用して処理されている。第１ゲイン値及び第４ゲイン値は４５°と１３５°との間で減少し、第２ゲイン値及び第３ゲイン値は４５°と１３５°との間で増大する。第１加算器及び第２加算器は、ミキサーが複数の入力オーディオチャネルを１つの出力チャネルへと加えることを可能にする。入力オーディオチャネルはゲイン値を含んでもよい。ゲイン値を有するミクス済み入力オーディオチャネルは、出力チャネルとしてスピーカに適用されてもよい。
【００１９】
更に、ある電気デバイスが提供される。その電気デバイスは、上述したようなオーディオ処理器と、少なくとも２個のスピーカと、それら少なくとも２個のスピーカのリスナーの耳軸に対する位置についての情報を検出し、かつ検出器インターフェースに連結される位置信号を生成するための検出器と、を備える。
【００２０】
更に、オーディオ処理のための方法が説明される。その方法は、
−少なくとも２つの入力オーディオチャネルを受信するステップであって、各入力オーディオチャネルは、少なくとも１つのスピーカ軸上の少なくとも２個のスピーカの所定の再生位置と関連付けられる、ステップと、
−少なくとも２個のスピーカのリスナーの耳軸に対する位置についての情報を示す位置信号を受信するステップであって、耳軸と少なくとも１つのスピーカ軸とは、互いに対して０°よりも大きく１８０°よりも小さいある角度を有する、ステップと、
−位置信号に依存して、少なくとも２つの入力オーディオチャネルをミキシングして少なくとも２つの出力チャネルを得るステップであって、第１角度が第２角度よりも大きいとき、第１角度に係る第１出力チャネル中の第２入力オーディオチャネルの部分が、第２角度に係る第１出力チャネル中の第２入力オーディオチャネルの部分よりも大きくなるようにミキシングするか、又は、第１角度が第２角度よりも大きいとき、第１角度に係る第２出力チャネル中の第１入力オーディオチャネルの部分が、第２角度に係る第２出力チャネル中の第１入力オーディオチャネルの部分よりも大きくなるようにミキシングするステップと、
−少なくとも２つの出力チャネルを少なくとも２個のスピーカに出力するステップと、を含む。
【００２１】
更に、コンピュータ又はプロセッサ上で実行されたとき、上述した方法のうちの１つを実行するための、プログラムコードを有するコンピュータプログラムが提供される。
【００２２】
以下に、本発明の実施形態を図面を参照してより詳細に説明する。
【図面の簡単な説明】
【００２３】
【図１】２つの入力オーディオチャネルと２つの出力チャネルとを有するオーディオ処理器の概略を示す図である。
【図２】電気デバイスを持つリスナーを示す図である。
【図３ａ】スピーカ軸を示す図である。
【図３ｂ】４個の処理部のための４つのゲイン値を有する線チャートの一例を示す図である。
【図３ｃ】４個の処理部のための４つのゲイン値を有する線チャートの更なる一例を示す図である。
【図４】更なる実施形態に係るオーディオ処理器の図である。
【図５ａ】第１スピーカ及び第２スピーカを備える電気デバイスを示す図である。
【図５ｂ】スピーカ軸がリスナーの耳軸に対して９０°回転されているタブレットＰＣを示す図である。
【図６ａ】スピーカ軸を示す図である。
【図６ｂ】図４に示す実施形態のゲイン値を有する線チャートの第１例を示す図である。
【図６ｃ】図４に示す実施形態のゲイン値を有する線チャートの第２例を示す図である。
【図７】更なる実施形態によるオーディオ処理器の概略を示す図である。
【図８ａ】スピーカ軸を示す図である。
【図８ｂ】図７に示す実施形態のゲイン値を有する線チャートの第１例を示す図である。
【図８ｃ】図７に示す実施形態のゲイン値を有する線チャートの第２例を示す図である。
【図９】リスナーの耳軸に平行であるスピーカ軸を有する電気デバイスを示す図である。
【図１０】第１信号及び増幅された信号を示す図である。
【発明を実施するための形態】
【００２４】
同一若しくは同等の要素、又は同一若しくは同等の機能を有する要素は、以下の説明において、同一又は同等の参照符号によって示されている。
【００２５】
図１は、一実施形態によるオーディオ処理器の概略を示す。オーディオ処理器は、少なくとも２つの入力オーディオチャネル１２1、１２2を受信するための入力インターフェースを備えてもよい。入力インターフェースは、追加のデバイスとオーディオ処理器１０との間に少なくとも１つの接続点を備えてもよい。追加のデバイスは、例えばオーディオ出力インターフェースを有するハードディスクのような音響記憶デバイス、又は、音響生成デバイス、例えばオーディオ出力インターフェースを有するチューナ若しくはマイクロホンであってもよい。追加のデバイスのオーディオ出力インターフェースは、入力オーディオチャネル１２1、１２2と接続されてもよく、入力インターフェースに音響信号、例えば楽音、声音若しくは更なる雑音を適用してもよい。
【００２６】
各入力オーディオチャネル１２1、１２2は、少なくとも１つのスピーカ軸上の少なくとも２個のスピーカの所定の再生位置と関連付けられている。スピーカの所定の再生位置は、リスナーに対するスピーカの位置を表してもよい。入力インターフェースは、例えば、第１入力オーディオチャネル１２1として左チャネルＬを受信し、第２入力オーディオチャネル１２2として右チャネルＲを受信するよう構成されてもよい。スピーカ軸１６は、例えば右スピーカ信号と左スピーカ信号のような、対向するオーディオ信号を受信してもよい例えば２個のスピーカ間の最短接続を表している。スピーカ軸１６は、電気デバイスを通って真っ直ぐに又は直交方向に延びていてもよい。
【００２７】
更に、オーディオ処理器は、位置信号１８を受信するための検出器インターフェース３２を備える。検出器インターフェース３２は、検出器４０とオーディオ処理器１０との間に少なくとも１つの接続点を含んでもよい。検出器４０は、位置信号１８を生成してもよい。位置信号１８は、図２を参照しながら後段で説明する。検出器４０は、例えば絶対位置トランスデューサ、即ち、例えばカメラを用いてリスナーの位置を判定するシステム、例えば頭部追跡システムであってもよい。検出器４０又は検出器インターフェース３２は、例えば電気デバイスのモニターと接続されてもよく、モニター切替信号に依存して位置信号１８を変化させてもよい。
【００２８】
更に、オーディオ処理器１０は、位置信号１８に依存して少なくとも２つの入力オーディオチャネル１２1、１２2をミキシングし、少なくとも２つの出力チャネル１４1、１４2を得るミキサー２２を備える。ミキサーは、入力オーディオチャネル１２1、１２2を出力チャネル１４1、１４2と連結することができ、各連結は、処理部３４1、３４2、３４3、３４4を含む。図１に示すミキサーにおいて、第１処理部３４1は第１入力オーディオチャネル１２1と第１出力チャネル１４1との間に接続されている。第２処理部３４2は第１入力オーディオチャネル１２1と第２出力チャネル１４2との間に接続されている。第３処理部３４3は第２入力オーディオチャネル１２2と第１出力チャネル１４1との間に接続されている。第４処理部３４4は第２入力オーディオチャネル１２2と第２出力チャネル１４2との間に接続されている。
【００２９】
入力オーディオチャネル１２1、１２2は、処理済み入力オーディオチャネルが対応する入力オーディオチャネル１２1、１２2の一部分となるように、処理部３４1、３４2、３４3、３４4のゲイン値Ｋ１、Ｋ２、Ｋ３、Ｋ４を用いて増幅されてもよい。
【００３０】
第１加算器２４1及び第２加算器２４2は、処理部３４1、３４2、３４3、３４4と出力チャネル１４1、１４2との間に接続されてもよい。加算器２４1、２４2の各々は少なくとも２つの処理済み入力チャネルを加算するものであり、処理済み入力チャネルの各々は処理部３４1、３４2、３４3、３４4を使用して処理されたものであり、処理部３４1、３４2、３４3、３４4は、ゲイン値Ｋ１、Ｋ２、Ｋ３、Ｋ４を用いて入力オーディオチャネル１２1、１２2、１２3、１２4を処理する。
【００３１】
第１加算器２４1は、処理済みの第１入力オーディオチャネル１２1及び処理済みの第２入力オーディオチャネル１２2を加算し、第１出力チャネル１４1を生成するか、又は、第１出力チャネル１４1に印加される信号をそれぞれ生成する。第２加算器２４2は、処理済みの第１入力オーディオチャネル１２1及び処理済みの第２入力オーディオチャネル１２2を加算し、第２出力チャネル１４2を生成するか、又は、第２出力チャネル１４2に印加される信号をそれぞれ生成する。
【００３２】
ミキサー２２は、第１加算器２４1及び第２加算器２４2を備える。第１加算器２４1は、第１処理済みの第１入力オーディオチャネル１２1と、第３処理済みの第２入力オーディオチャネル１２2とを加算する。第２加算器２４2は、第２処理済みの第１入力オーディオチャネル１２1と、第４処理済みの第２入力オーディオチャネル１２2とを加算する。第１処理済みの第１入力オーディオチャネル１２1は、第１ゲイン値Ｋ１を有する第１処理部３４1を使用して処理されている。第２処理済みの第１入力オーディオチャネル１２1は、第２ゲイン値Ｋ２を有する第２処理部３４2を使用して処理されている。第３処理済みの第２入力オーディオチャネル１２2は、第３ゲイン値Ｋ３を有する第３処理部３４3を使用して処理されている。第４処理済みの第２入力オーディオチャネル１２2は、第４ゲイン値Ｋ４を有する第４処理部３４4を使用して処理されている。第１ゲイン値Ｋ１及び第４ゲイン値Ｋ４は、好ましくは０°と１８０°との間の角度について、より好ましくは４５°と１３５°との間の角度について、角度が増大するとともに減少し、第２ゲイン値Ｋ２及び第３ゲイン値Ｋ３は、好ましくは０°と１８０°との間の角度について、より好ましくは４５°と１３５°との間の角度について、角度が増大するとともに増大する。
【００３３】
処理部３４1、３４2、３４3、３４4が入力オーディオチャネルを処理する際に用いるゲイン値Ｋ１、Ｋ２、Ｋ３、Ｋ４は、処理部３４1、３４2、３４3、３４4の各々について異なっていてもよく、処理部３４1、３４2、３４3、３４4に印加される位置信号１８に依存して変化する。ゲイン値は、位置信号１８に適合されていてもよく、０と１との間の数であってもよい。その値がほぼ０である場合、その入力オーディオチャネルの部分は出力チャネルにほとんど含まれない。値がほぼ１である場合、その入力オーディオチャネルの部分は出力チャネルにほぼ完全に含まれる。
【００３４】
処理部、例えば、第１加算器２４1と接続されている処理部３４1、３４2からの加算されたゲイン値Ｋ１、Ｋ２の合計は、位置信号１８とは無関係に一定であってもよい。第２加算器２４2と接続されている処理部３４3、３４4からの加算されたゲイン値の合計もまた、位置信号１８とは無関係に一定であってもよい。ゲイン値Ｋ１、Ｋ２、Ｋ３、Ｋ４が０と１との間である場合、第１加算器２４1又は第２加算器２４2と接続されている処理部３４1、３４2、３４3、３４4から加えられるゲイン値Ｋ１、Ｋ２、Ｋ３、Ｋ４の合計は１であり得る。例えば、処理部３４1、３４3は第１加算器２４1に接続されており、第１ゲイン値Ｋ１は０．２であり、第３ゲイン値Ｋ３は０．８である場合、第１加算器２４1における第１ゲイン値Ｋ１及び第３ゲイン値Ｋ３の合計は１になる。
【００３５】
ゲイン値は、実数によって表されてもよく、又は、複素数によって表されてもよい。複素ゲイン値は、ミキサー２２が入力オーディオチャネルを遅延させることを可能にする。本発明の実施形態において、ゲイン値が０と１との間である場合、ゲイン値は自然数でなくてもよく、自然数０及び１は、０°〜１８０°の角度を表してもよい。この角度は、図２を参照して後段で説明する。
【００３６】
ミキサー２２は、可変行列要素を有する行列処理部を含んでもよく、それら可変行列要素は、位置信号１８に基づいて適合されている。可変行列要素は、ゲイン値Ｋ１、Ｋ２、Ｋ３、Ｋ４と等しくてもよい。行列処理部は、オーディオ処理器１０の符号化及び処理部３４1、３４2、３４3、３４4による出力チャネル１４1、１４2の生成を容易にする。入力オーディオチャネル１２1、１２2及び出力チャネル１４1、１４2の数に依存して、様々な数の行及び様々な数の列を有する行列が実現可能である。例えば、４つの行及び２つの列を有する行列要素は、４つの入力オーディオチャネル１２1〜１２4及び２つの出力チャネル１４1、１４2を有する行列処理部に使用されてもよい。行列処理部は、複素行列要素を使用するよう構成してもよい。
【００３７】
更に、処理器は、少なくとも２つの出力チャネル１４1、１４2を少なくとも２個のスピーカに出力するための出力インターフェースを備える。出力インターフェースは、オーディオ処理器１０とスピーカとの間に少なくとも１つの接続点を含んでもよい。
【００３８】
図２は、電気デバイス３０を有するリスナー２８を示す。電気デバイスは、例えば携帯電話（スマートホン）又はタブレットＰＣであってもよい。電気デバイスは、例えば、室内で自立している又は壁に取り付けられている、ＴＶ、コンピュータ又はＨｉ−Ｆｉシステムのようなデバイスでもあってもよい。電気デバイス３０は、一実施形態のオーディオ処理器１０と、少なくとも２個のスピーカと、リスナー２８の耳軸２０に対する少なくとも２個のスピーカ２６1、２６2の位置についての情報を検出し、検出器インターフェース３２に連結される位置信号１８を生成するための検出器４０とを備えてもよい。図２に示す電気デバイス３０は、第１スピーカ２６1と第２スピーカ２６2とを備える。第１スピーカ２６1と第２スピーカ２６2とは電気デバイス３０上に配置されている。第１スピーカ２６1と第２スピーカ２６2との間の最短距離は、スピーカ軸１６を表す。リスナー２８の２つの耳の間の線は、耳軸２０を表す。スピーカ軸１６と耳軸２０とは、角度３６を含む。スピーカ軸１６と耳軸２０とは、互いに対して任意の角度３６を有し得る。角度が０°又は１８０°の場合、スピーカ軸１６と耳軸２０とは互いに平行である。角度が０°の場合、左スピーカは、リスナー２８の見る方向に関して電気デバイス３０の左側に位置付けられてもよく、右スピーカは、電気デバイス３０の右側に位置付けられてもよい。角度が１８０°の場合、左スピーカは、リスナー２８の見る方向に関して電気デバイス３０の右側に位置付けられてもよく、右スピーカは、電気デバイス３０の左側に位置付けられてもよい。
【００３９】
位置信号１８は、リスナー２８の耳軸に対する少なくとも２個のスピーカ２６1、２６2の位置についての情報を示し、耳軸２０と少なくとも１つのスピーカ軸１６とは、互いに対して０°よりも大きく１８０°よりも小さい角度３６を有する。
【００４０】
図３ａは、スピーカ軸の概略を示す。第１スピーカは位置１に配置されてもよく、第２スピーカは位置２に配置されてもよい。４つのグラフは、スピーカ軸の４つの方向を表す。各グラフは、スピーカ軸と耳軸との間の角度で標識付けられている。
【００４１】
入力インターフェースは、第１入力オーディオチャネル１２1として左チャネルＬを受信し、第２入力オーディオチャネル１２2として右チャネルＲを受信するよう構成されてもよい。角度が０°と９０°との間、又は角度が２７０°と３６０°との間であるとき、第１出力チャネル１４1中の左チャネルＬの部分は右チャネルＲの部分よりも大きくてもよい。角度が０°と９０°との間、又は角度が２７０°と３６０°との間であるとき、第２出力チャネル１４2中の右チャネルＲの部分は左チャネルＬの部分よりも大きくてもよい。角度が９０°と１８０°との間、又は角度が１８０°と２７０°との間であるとき、第１出力チャネル１４1中の右チャネルＲの部分は左チャネルＬの部分よりも大きくてもよい。角度が９０°と１８０°との間、又は角度が１８０°と２７０°との間であるとき、第２出力チャネル１４2中の左チャネルＬの部分は右チャネルＲの部分よりも大きくてもよい。
【００４２】
図３ｂは、例えば図１に示すような一実施形態に係る、４個の処理部のための４つのゲイン値Ｋ１〜Ｋ４を有する線チャートの一例を示す。ゲイン値Ｋ２及びＫ３は０°と１８０°との間で０から１へと線形的に増大し、１８０°と３６０°との間で１から０へと線形的に減少する。ゲイン値Ｋ１及びＫ４は０°と１８０°との間で１から０へと線形的に減少し、１８０°と３６０°との間で０から１へと線形的に増大する。
【００４３】
図３ｃは、例えば図１に示すような一実施形態に係る、４個の処理部のための４つのゲイン値Ｋ１〜Ｋ４を有する線チャートの更なる例を示す。ゲイン値Ｋ２及びＫ３は、０°において０から始まり、１８０°において１まで増大し、３６０°において０まで減少するほぼコサイン関数を示す。ゲイン値Ｋ１及びＫ４は、０°において１から始まり、１８０°において０まで減少し、３６０°において１まで増大するほぼコサイン関数を示す。
【００４４】
一般に、耳軸とスピーカ軸との間の第１角度が、耳軸とスピーカ軸との間の第２角度よりも大きい場合、第１角度に係る第１出力チャネル１４1中の第２入力オーディオチャネル１２2の部分は、第２角度に係る第１出力チャネル１４1中の第２入力オーディオチャネル１２2の部分よりも大きい。
【００４５】
９０°と１８０°との間、又は１８０°と２７０°との間の角度３６について、第１出力チャネル１４1中の第２入力オーディオチャネル１２2の部分は、第１出力チャネル１４1中の第１入力オーディオチャネル１２1の部分よりも大きくてもよい。
【００４６】
０°と１８０°との間の角度３６について、第１出力チャネル１４1中の第２入力オーディオチャネル１２2の部分は増大してもよく、第１出力チャネル１４1中の第１入力オーディオチャネル１２1の部分は減少してもよい。
【００４７】
一般に、第１角度が第２角度よりも大きい場合、第１角度に係る第２出力チャネル１４2中の第１入力オーディオチャネル１２1の部分は、第２角度に係る第２出力チャネル１４2中の第１入力オーディオチャネル１２1の部分よりも大きい。
【００４８】
９０°と１８０°との間、又は１８０°と２７０°との間の角度３６について、第２出力チャネル１４2中の第１入力オーディオチャネル１２1の部分は、第２出力チャネル１４2中の第２入力オーディオチャネル１２2の部分よりも大きくてもよい。
【００４９】
０°と１８０°との間の角度について、第２出力チャネル１４2中の第１入力オーディオチャネル１２1の部分は増大してもよく、第２出力チャネル１４2中の第２入力オーディオチャネル１２2の部分は減少してもよい。
【００５０】
図４は、更なる実施形態に係るオーディオ処理器の概略を示す。そのオーディオ処理器は、４つの入力オーディオチャネル１２1、１２2、１２3、１２4を受信するための入力インターフェースを備えてもよい。入力インターフェースは、例えば、第１入力オーディオチャネル１２1として左チャネルＬを受信し、第２入力オーディオチャネル１２2として右チャネルＲを受信し、更に、第３入力オーディオチャネル１２3として左上チャネルＨＬを受信し、第４入力オーディオチャネル１２4として右上チャネルＨＲを受信するように構成されてもよい。この実施形態におけるミキサーは４つの入力オーディオチャネル１２1、１２2、１２3、１２4を備え、位置信号１８に依存して２つの出力チャネル１４1、１４2を生成する。
【００５１】
ミキサーは、入力オーディオチャネル１２1、１２2、１２3、１２4を出力チャネル１４1、１４2と連結することができ、各連結は、処理部３４1、３４2、３４3、３４4、３４5、３４6、３４7、３４8を含む。図４に示すミキサーにおいて、第１処理部３４1は第１入力オーディオチャネル１２1と第１出力チャネル１４1との間に接続されている。第２処理部３４2は第１入力オーディオチャネル１２1と第２出力チャネル１４2との間に接続されている。第３処理部３４3は第２入力オーディオチャネル１２2と第１出力チャネル１４1との間に接続されている。第４処理部３４4は第２入力オーディオチャネル１２2と第２出力チャネル１４2との間に接続されている。第５処理部３４5は第３入力オーディオチャネル１２3と第１出力チャネル１４1との間に接続されている。第６処理部３４6は第３入力オーディオチャネル１２3と第２出力チャネル１４2との間に接続されている。第７処理部３４7は第４入力オーディオチャネル１２4と第１出力チャネル１４1との間に接続されている。第８処理部３４8は第４入力オーディオチャネル１２4と第２出力チャネル１４2との間に接続されている。
【００５２】
第１加算器２４1は処理部３４1、３４3、３４5、３４7と第１出力チャネル１４1との間に接続されてもよい。第２加算器２４2は処理部３４2、３４4、３４6、３４8と第２出力チャネル１４2との間に接続されてもよい。各処理部３４1、３４2、３４3、３４4、３４5、３４6、３４7、３４8は、ゲイン値Ｋ１〜Ｋ８を用いて入力オーディオチャネル１２1、１２2、１２3、１２4を処理する。
【００５３】
第１加算器２４1は、第１処理済みの第１入力オーディオチャネル１２1、第３処理済みの第２入力オーディオチャネル１２2、第５処理済みの第３入力オーディオチャネル１２3、及び第７処理済みの第４入力オーディオチャネル１２4を加算する。第２加算器２４2は、第２処理済みの第１入力オーディオチャネル１２1、第４処理済みの第２入力オーディオチャネル１２2、第６処理済みの第３入力オーディオチャネル１２3、及び第８処理済みの第４入力オーディオチャネル１２4を加算する。第１処理済みの第１入力オーディオチャネル１２1は、第１ゲイン値Ｋ１を有する第１処理部３４1を使用して処理されている。第２処理済みの第１入力オーディオチャネル１２1は、第２ゲイン値Ｋ２を有する第２処理部３４2を使用して処理されている。第３処理済みの第２入力オーディオチャネル１２2は、第３ゲイン値Ｋ３を有する第３処理部３４3を使用して処理されている。第４処理済みの第２入力オーディオチャネル１２2は、第４ゲイン値Ｋ４を有する第４処理部３４4を使用して処理されている。第５処理済みの第３入力オーディオチャネル１２3は、第５ゲイン値Ｋ５を有する第５処理部３４5を使用して処理されている。第６処理済みの第３入力オーディオチャネル１２3は、第６ゲイン値Ｋ６を有する第６処理部３４6を使用して処理されている。第７処理済みの第４入力オーディオチャネル１２4は、第７ゲイン値Ｋ７を有する第７処理部３４7を使用して処理されている。第８処理済みの第４入力オーディオチャネル１２4は、第８ゲイン値Ｋ８を有する第８処理部３４8を使用して処理されている。
【００５４】
図５ａは、第１スピーカ２６1及び第２スピーカ２６2を備え得る電気デバイス３０、例えばタブレットＰＣを示す。スピーカ２６1、２６2は、スピーカ軸上の電気デバイス３０の左側及び右側に配置されている。第１スピーカ２６1は電気デバイスの左側にあり、第２スピーカ２６2は電気デバイスの右側にある。入力インターフェースは、第１入力オーディオチャネル１２1として左チャネルＬを受信し、第２入力オーディオチャネル１２2として右チャネルＲを受信し、第３入力オーディオチャネル１２3として左上チャネルＨＬを受信し、第４入力オーディオチャネル１２4として右上チャネルＨＲを受信するよう構成される。
【００５５】
図５ａの実施形態において、第１出力チャネル中の第１入力オーディオチャネル１２1及び第３入力オーディオチャネル１２3の割合は、第２入力オーディオチャネル１２2及び第４入力オーディオチャネル１２4の割合よりも大きい。第１出力チャネル１４1は第１スピーカ２６1に印加されてもよい。更に、第２出力チャネル１４2中の第２入力オーディオチャネル１２2及び第４入力オーディオチャネル１２4の割合は、第１入力オーディオチャネル１２1及び第３入力オーディオチャネル１２3の割合よりも大きい。第２出力チャネル１４2は第２スピーカ２６2に印加されてもよい。
【００５６】
図５ｂは、リスナーの耳軸に対して９０°回転されたスピーカ軸を有するタブレットＰＣを示す。スピーカ２６1、２６2は、１つのスピーカ軸上の電気デバイス３０の上側及び下側に配置されている。第１スピーカ２６1は電気デバイス３０の上側にあり、第２スピーカ２６2は電気デバイス３０の下側にある。図５ｂの方向において、第１出力チャネル１４1中の第３入力オーディオチャネル１２3及び第４入力オーディオチャネル１２4の割合は、第１入力オーディオチャネル１２1及び第２入力オーディオチャネル１２2の割合よりも大きい。第１出力チャネル１４1は第１スピーカ２６1に印加される。更に、第２出力チャネル１４2中の第１入力オーディオチャネル１２1及び第２入力オーディオチャネル１２2の割合は、第３入力オーディオチャネル１２3及び第４入力オーディオチャネル１２4の割合よりも大きい。第２出力チャネル１４2は第２スピーカ２６2に印加される。
【００５７】
図６ａは、スピーカ軸の概略を示す。第１スピーカは位置１に配置されてもよく、第２スピーカは位置２に配置されてもよい。８つのグラフは、スピーカ軸の８つの方向を表す。各グラフは、スピーカ軸と耳軸との間の角度で標識付けされている。
【００５８】
入力インターフェースは、第１入力オーディオチャネル１２1として左チャネルＬを受信し、第２入力オーディオチャネル１２2として右チャネルＲを受信し、第３入力オーディオチャネル１２3として左上チャネルＨＬを受信し、第４入力オーディオチャネル１２4として右上チャネルＨＲを受信するよう構成される。
【００５９】
図６ｂは、図４に示す実施形態のゲイン値を有する線チャートの第１例を示す。図６ｃは、図４に示す実施形態のゲイン値を有する線チャートの第２例を示す。両方の例の線チャートは、８つの処理部のための８つのゲイン値Ｋ１〜Ｋ８を含む。
【００６０】
耳軸とスピーカ軸との間の第１角度が、耳軸とスピーカ軸との間の第２角度よりも大きい場合、第１角度に係る第１出力チャネル１４1中の第２入力オーディオチャネル１２2の部分は、第２角度に係る第１出力チャネル１４1中の第２入力オーディオチャネル１２2の部分よりも大きい。
【００６１】
一般に、第１角度が第２角度よりも大きい場合、第１角度に係る第２出力チャネル１４2中の第１入力オーディオチャネル１２1の部分は、第２角度に係る第２出力チャネル１４2中の第１入力オーディオチャネル１２1の部分よりも大きい。
【００６２】
角度が０°と９０°との間であるとき、第１出力チャネル中の左上チャネルの部分は右チャネルの部分よりも大きく、角度が０°と９０°との間であるとき、第２出力チャネル中の右チャネルの部分は左上チャネルの部分よりも大きい。更に、角度が９０°と１８０°との間であるとき、第１出力チャネル中の右上チャネルの部分は左チャネルの部分よりも大きく、角度が９０°と１８０°との間であるとき、第２出力チャネル中の左チャネルの部分は右上チャネルの部分よりも大きい。
【００６３】
第１ゲイン値及び第４ゲイン値は、好ましくは０°と１８０°との間の角度について、より好ましくは４５°と１３５°との間の角度について、角度が増大するとともに減少する。第２ゲイン値及び第３ゲイン値は、好ましくは０°と１８０°との間の角度について、より好ましくは４５°と１３５°との間の角度について、角度が増大するとともに増大する。
【００６４】
更に、ミキサー２２は、９０°に等しい角度について、全体で３０％を超える、好ましい実施形態においては４５％又は５０％を超える第３入力オーディオチャネルの部分、及び、３０％を超える、好ましい実施形態においては４５％又は５０％を超える第４入力オーディオチャネルの部分を含む第１出力チャネルと、全体で３０％を超える、好ましい実施形態においては４５％又は５０％を超える第１入力オーディオチャネルの部分、及び、３０％を超える、好ましい実施形態においては４５％又は５０％を超える第２入力オーディオチャネルの部分を含む第２出力チャネルと、を生成するよう構成されている。
【００６５】
図７は、更なる実施形態に係るオーディオ処理器の図を示す。そのオーディオ処理器は、３つの入力オーディオチャネル１２1、１２2、１２5を受信するための入力インターフェースを備えてもよい。入力インターフェースは、例えば、第１入力オーディオチャネル１２1として左チャネルＬを受信し、第２入力オーディオチャネルとして右チャネルＲを受信し、例えば第５入力オーディオチャネル１２5として上側チャネルＨを受信するよう構成されてもよい。この実施形態におけるミキサーは、３つの入力オーディオチャネル１２1、１２2、１２5を含み、位置信号１８に依存して２つの出力チャネル１４1、１４2を生成する。
【００６６】
ミキサーは、入力オーディオチャネル１２1、１２2、１２5を出力チャネル１４1、１４2と連結することができ、各連結は、処理部３４1、３４2、３４3、３４4、３４9、３４10を含む。図７に示すミキサーにおいて、第１処理部３４1は第１入力オーディオチャネル１２1と第１出力チャネル１４1との間に接続されている。第２処理部３４2は第１入力オーディオチャネル１２1と第２出力チャネル１４2との間に接続されている。第３処理部３４3は第２入力オーディオチャネル１２2と第１出力チャネル１４1との間に接続されている。第４処理部３４4は第２入力オーディオチャネル１２2と第２出力チャネル１４2との間に接続されている。第９処理部３４9は第５入力オーディオチャネル１２5と第１出力チャネル１４1との間に接続されている。第１０処理部３４10は第５入力オーディオチャネル１２5と第２出力チャネル１４2との間に接続されている。
【００６７】
第１加算器２４1は処理部３４1、３４3、３４9と第１出力チャネル１４1との間に接続されてもよい。第２加算器２４2は処理部３４2、３４4、３４10と第２出力チャネル１４2との間に接続されてもよい。各処理部３４1、３４2、３４3、３４4、３４9、３４10は、ゲイン値Ｋ１、Ｋ２、Ｋ３、Ｋ４、Ｋ９、Ｋ１０を用いて入力オーディオチャネル１２1、１２2、１２5を処理する。
【００６８】
第１加算器２４1は、第１処理済みの第１入力オーディオチャネル１２1、第３処理済みの第２入力オーディオチャネル１２2、及び第９処理済みの第５入力オーディオチャネル１２5を加算する。第２加算器２４2は、第２処理済みの第１入力オーディオチャネル１２1、第４処理済みの第２入力オーディオチャネル１２2、及び第１０処理済みの第５入力オーディオチャネル１２5を加算する。
【００６９】
第１処理済みの第１入力オーディオチャネル１２1は、第１ゲイン値Ｋ１を有する第１処理部３４1を使用して処理されている。第２処理済みの第１入力オーディオチャネル１２1は、第２ゲイン値Ｋ２を有する第２処理部３４2を使用して処理されている。第３処理済みの第２入力オーディオチャネル１２2は、第３ゲイン値Ｋ３を有する第３処理部３４3を使用して処理されている。第４処理済みの第２入力オーディオチャネル１２2は、第４ゲイン値Ｋ４を有する第４処理部３４4を使用して処理されている。第９処理済みの第５入力オーディオチャネル１２5は、第９ゲイン値Ｋ９を有する第９処理部３４9を使用して処理されている。第１０処理済みの第５入力オーディオチャネル１２5は、第１０ゲイン値Ｋ１０を有する第１０処理部３４10を使用して処理されている。
【００７０】
図８ａは、スピーカ軸の図を示す。第１スピーカは位置１に配置されてもよく、第２スピーカは位置２に配置されてもよい。４つのグラフは、スピーカ軸の４つの方向を表す。各グラフは、スピーカ軸と耳軸との間の角度で標識付けされている。
【００７１】
入力インターフェースは、例えば、第１入力オーディオチャネル１２1として左チャネルＬを受信し、第２入力オーディオチャネルとして右チャネルＲを受信し、例えば第５入力オーディオチャネル１２5として上側チャネルＨを受信するよう構成されてもよい。
【００７２】
図８ｂは、図７に示す実施形態のゲイン値を有する線チャートの第１例を示す。図８ｃは、図７に示す実施形態のゲイン値を有する線チャートの第２例を示す。両方の例の線チャートは、６個の処理部のための６つのゲイン値Ｋ１、Ｋ２、Ｋ３、Ｋ４、Ｋ９、Ｋ１０を含む。
【００７３】
耳軸とスピーカ軸との間の第１角度が、耳軸とスピーカ軸との間の第２角度よりも大きい場合、第１角度に係る第１出力チャネル１４1中の第２入力オーディオチャネル１２2の部分は、第２角度に係る第１出力チャネル１４1中の第２入力オーディオチャネル１２2の部分よりも大きい。
【００７４】
第１角度が第２角度よりも大きい場合、第１角度に係る第２出力チャネル１４2中の第１入力オーディオチャネル１２1の部分は、第２角度に係る第２出力チャネル１４2中の第１入力オーディオチャネル１２1の部分よりも大きい。
【００７５】
図８ｂ及び図８ｃに示すように、角度が０°と９０°との間のとき、第１出力チャネル中の上側チャネルの部分は右チャネルの部分よりも大きく、角度が０°と９０°との間のとき、第２出力チャネル中の右チャネルの部分は上側チャネルの部分よりも大きい。更に、角度が９０°と１８０°との間のとき、第１出力チャネル中の上側チャネルの部分は左チャネルの部分よりも大きく、角度が９０°と１８０°との間のとき、第２出力チャネル中の左チャネルの部分は上側チャネルの部分よりも大きい。
【００７６】
第１ゲイン値及び第４ゲイン値は、好ましくは０°と１８０°との間の角度について、角度が増大するとともに減少し、第２ゲイン値及び第３ゲイン値は、好ましくは０°と１８０°との間の角度について、角度が増大するとともに増大する。
【００７７】
更に、ミキサーは、９０°に等しい角度について、第５入力オーディオチャネルを含む第１出力チャネル、及び、第１入力オーディオチャネルと第２入力オーディオチャネルとの組み合わせを含む第２出力チャネルを生成するよう構成されてもよい。
【００７８】
第１加算器に適用される加算済みゲイン値の合計、及び、第２加算器に適用される加算済みゲイン値の合計は、可能なゲイン値が０と１との間である場合、加算器の各々について１であってもよい。１つのスピーカ軸上に１個だけのスピーカ、例えば第５入力オーディオチャネル上に上側スピーカだけが配置されている場合、その入力オーディオチャネルに連結される処理部のゲイン値Ｋ９、Ｋ１０は０と１との間であってもよい。１つのスピーカ軸上に２個のスピーカ、例えば第１入力オーディオチャネル及び第２入力オーディオチャネル上に左スピーカ及び右スピーカが配置されている場合、それら入力オーディオチャネルに連結される処理部のゲイン値Ｋ１〜Ｋ４は０と０．５との間であってもよい。
【００７９】
図９は、リスナー２８の耳軸２０に対して平行であるスピーカ軸１６を有する電気デバイス３０を示す。電気デバイス３０はスピーカ軸１６に沿ってシフトされており、その結果、例えば、第１出力チャネルを受信した第１スピーカ２６1及び第２出力チャネルを受信した第２スピーカ２６2は、リスナー２８の正面に位置していない。入力インターフェースは、第１入力オーディオチャネルとして左チャネルを受信し、第２入力オーディオチャネルとして右チャネルを受信するように構成されてもよい。ミキサーは、第１出力チャネル中の第２入力チャネルの部分、第２出力チャネル中の第１入力チャネルの部分、第１出力チャネル中の第１入力チャネルの部分、又は第２出力チャネル中の第２入力チャネルの部分が、対応する他の部分に対して遅延されるように構成されてもよい。この遅延を通じて、シフト角３８によって示されているような耳軸２０に対するスピーカ軸１６のシフトを補償してもよく、それにより、リスナーにとっての音響印象が、電気デバイス３０がリスナー２８の正面にある場合と等しいか又はほぼ等しくなる。信号遅延によって、リスナーに対するスピーカ音の信号伝搬遅延時間を補償することができる。
【００８０】
図１０は、第１信号Ｓ１及び増幅された信号Ｓ２を示す。第１信号Ｓ１は、入力オーディオ信号であってもよい。第２信号Ｓ２は、出力チャネルであってもよい。第２信号Ｓ２は、この第１信号Ｓ１に対する遅延を含み、その遅延は信号伝搬遅延時間であってもよい。遅延は、リスナーに対するスピーカ軸上の電気デバイスのシフトを補償するよう適合されてもよい。
【００８１】
第１出力チャネルと第２出力チャネルとの間、又は第２出力チャネルと第１出力チャネルとの間に遅延を生成するために、オーディオ処理器は、ゲイン値として複素数を使用するように構成されてもよい。
【００８２】
言い換えれば、本発明は、内蔵スピーカを有する電気デバイスにおける、２つ以上のスピーカから受益するマルチメディア再生に関する。コンテンツと合致するサウンドステージが生成され、例えば、左側からの音響事象は主に左スピーカから再生される。
【００８３】
一方、そのようなデバイスは、ビデオコンテンツを自動的に９０°回転させることによって垂直方向で使用することもあり得る。しかしながら、現行の技術水準のデバイスでは、オーディオコンテンツは変化しないままである。その結果、音響事象の印象が誤って知覚されることになる。左又は右から入来する代わりに、オーディオ音源は例えばビデオの上方に現れる。このことは、知覚品質の低下をもたらす。
【００８４】
新たな多チャネルオーディオフォーマット（特に高位のチャネルを含む）の導入によって、新たなミキシング手順が必須となる。本発明は、回転されたデバイス上で再生するために、ステレオ又は多チャネルオーディオ入力を処理する方法を説明している。
【００８５】
これまで装置の文脈で幾つかの態様を示してきたが、これらの態様は対応する方法の説明をも表しており、そのブロック又は装置が方法ステップ又は方法ステップの特徴に対応することは明らかである。同様に、方法ステップを説明する文脈で示した態様もまた、対応する装置の対応するブロックもしくは項目又は特徴を表している。
【００８６】
本発明の符号化されたオーディオ信号は、デジタル記憶媒体に記憶されることができ、又は、インターネットのような無線伝送媒体もしくは有線伝送媒体などの伝送媒体を介して伝送されることもできる。
【００８７】
所定の構成要件にもよるが、本発明の実施形態は、ハードウエア又はソフトウエアにおいて構成可能である。この構成は、その中に格納される電子的に読み取り可能な制御信号を有し、本発明の各方法が実行されるようにプログラム可能なコンピュータシステムと協働する（又は協働可能な）、デジタル記憶媒体、例えばフレキシブルディスク，ＤＶＤ，ＣＤ，ＲＯＭ，ＰＲＯＭ，ＥＰＲＯＭ，ＥＥＰＲＯＭ，フラッシュメモリなどのデジタル記憶媒体を使用して実行することができる。
【００８８】
本発明に従う幾つかの実施形態は、上述した方法の１つを実行するようプログラム可能なコンピュータシステムと協働可能で、電子的に読み取り可能な制御信号を有するデータキャリアを含む。
【００８９】
一般的に、本発明の実施例は、プログラムコードを有するコンピュータプログラム製品として構成することができ、そのプログラムコードは当該コンピュータプログラム製品がコンピュータ上で作動するときに、本発明の方法の一つを実行するよう作動可能である。そのプログラムコードは例えば機械読み取り可能なキャリアに記憶されていても良い。
【００９０】
本発明の他の実施形態は、上述した方法の１つを実行するための、機械読み取り可能なキャリアに格納されたコンピュータプログラムを含む。
【００９１】
換言すれば、本発明の方法のある実施形態は、そのコンピュータプログラムがコンピュータ上で作動するときに、上述した方法の１つを実行するためのプログラムコードを有するコンピュータプログラムである。
【００９２】
本発明の他の実施形態は、上述した方法の１つを実行するために記録されたコンピュータプログラムを含む、データキャリア（又はデジタル記憶媒体、又はコンピュータ読み取り可能な媒体）である。
【００９３】
本発明の他の実施形態は、上述した方法の１つを実行するためのコンピュータプログラムを表現するデータストリーム又は信号列である。そのデータストリーム又は信号列は、例えばインターネットを介するデータ通信接続を介して伝送されるよう構成されても良い。
【００９４】
他の実施形態は、上述した方法の１つを実行するように構成又は適応された、例えばコンピュータ又はプログラム可能な論理デバイスのような処理手段を含む。
【００９５】
他の実施形態は、上述した方法の１つを実行するためのコンピュータプログラムがインストールされたコンピュータを含む。
【００９６】
幾つかの実施形態においては、（例えば書換え可能ゲートアレイのような）プログラム可能な論理デバイスが、上述した方法の幾つか又は全ての機能を実行するために使用されても良い。幾つかの実施形態では、書換え可能ゲートアレイは、上述した方法の１つを実行するためにマイクロプロセッサと協働しても良い。一般的に、そのような方法は、好適には任意のハードウエア装置によって実行される。
【００９７】
上述した実施形態は、本発明の原理を単に例示的に示したに過ぎない。本明細書に記載した構成及び詳細について修正及び変更が可能であることは、当業者にとって明らかである。従って、本発明は、本明細書に実施形態の説明及び解説の目的で提示した具体的詳細によって限定されるものではなく、添付した特許請求の範囲によってのみ限定されるべきである。
【図１】
2016527809.tif 000003
【図２】
2016527809.tif 000004
【図３ａ】
2016527809.tif 000005
【図３ｂ】
2016527809.tif 000006
【図３ｃ】
2016527809.tif 000007
【図４】
2016527809.tif 000008
【図５ａ】
2016527809.tif 000009
【図５ｂ】
2016527809.tif 000010
【図６ａ】
2016527809.tif 000011
【図６ｂ】
2016527809.tif 000012
【図６ｃ】
2016527809.tif 000013
【図７】
2016527809.tif 000014
【図８ａ】
2016527809.tif 000015
【図８ｂ】
2016527809.tif 000016
【図８ｃ】
2016527809.tif 000017
【図９】
2016527809.tif 000018
【図１０】
2016527809.tif 000019
【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
−少なくとも２つの入力オーディオチャネル（１２1、１２2；１２3、１２4；１２5）を受信する入力インターフェースであって、各入力オーディオチャネル（１２1、１２2；１２3、１２4；１２5）は１つのスピーカ軸（１６）上の２個のスピーカ（２６1、２６2）の所定の再生位置と関連付けられており、前記スピーカ軸は前記２個のスピーカ間の最短距離である、入力インターフェースと、
−リスナー（２８）の耳軸（２０）に対する前記２個のスピーカ（２６1、２６2）の位置についての情報を示す位置信号（１８）を受信する検出器インターフェース（３２）であって、前記耳軸（２０）と前記スピーカ軸（１６）とは互いに対して０°よりも大きく１８０°よりも小さい角度（３６）を有する、検出器インターフェース（３２）と、
−前記位置信号（１８）に依存して前記２つの入力オーディオチャネル（１２1、１２2；１２3、１２4；１２5）をミキシングし、２つの出力チャネル（１４1、１４2）を得るミキサー（２２）であって、
第１角度（３６）が第２角度（３６）よりも大きいとき、前記耳軸（２０）と前記スピーカ軸（１６）との間の前記第１角度（３６）に係る第１出力チャネル（１４1）中の右（Ｒ）チャネルである第２入力オーディオチャネル（１２2）の部分が、前記耳軸（２０）と前記スピーカ軸（１６）との間の前記第２角度（３６）に係る前記第１出力チャネル（１４1）中の前記第２入力オーディオチャネル（１２2）の部分よりも大きくなるようにミキシングするか、又は、
第１角度（３６）が第２角度（３６）よりも大きいとき、前記第１角度（３６）に係る前記第２出力チャネル（１４2）中の左（Ｌ）チャネルである第１入力オーディオチャネル（１２1）の部分が、前記第２角度（３６）に係る前記第２出力チャネル（１４2）中の前記第１入力オーディオチャネル（１２1）の部分よりも大きくなるようにミキシングする、ミキサーと、
−前記２つの出力チャネル（１４1、１４2）を前記２個のスピーカ（２６1、２６2）に出力する出力インターフェースと、
を備えるオーディオ処理器（１０）であって、
前記入力インターフェースは、第３入力オーディオチャネル（１２3）として左上チャネル（ＨＬ）を受信し、第４入力オーディオチャネル（１２4）として右上チャネル（ＨＲ）を受信するよう構成されており、前記ミキシングは、前記角度（３６）が０°と９０°との間のとき、前記第１出力チャネル（１４1）中の前記左上チャネル（ＨＬ）の部分が前記右チャネル（Ｒ）の部分よりも大きく、前記角度（３６）が０°と９０°との間のとき、前記第２出力チャネル（１４2）中の前記右チャネル（Ｒ）の部分が前記左上チャネル（ＨＬ）の部分よりも大きく、前記角度（３６）が９０°と１８０°との間のとき、前記第１出力チャネル（１４1）中の前記右上チャネル（ＨＲ）の部分が前記左チャネル（Ｌ）の部分よりも大きく、前記角度（３６）が９０°と１８０°との間のとき、前記第２出力チャネル（１４2）中の前記左チャネル（Ｌ）の部分が前記右上チャネル（ＨＲ）の部分よりも大きくなるように実行されるか、
又は、
前記入力インターフェースは、上側チャネル（Ｈ）を受信するよう構成されており、前記ミキシングは、前記角度（３６）が０°と９０°との間のとき、前記第１出力チャネル（１４1）中の前記上側チャネル（Ｈ）の部分が前記右チャネル（Ｒ）の部分よりも大きく、前記角度（３６）が０°と９０°との間のとき、前記第２出力チャネル（１４2）中の前記右チャネル（Ｒ）の部分が前記上側チャネル（Ｈ）の部分よりも大きく、前記角度（３６）が９０°と１８０°との間のとき、前記第１出力チャネル（１４1）中の前記上側チャネル（Ｈ）の部分が前記左チャネル（Ｌ）の部分よりも大きく、前記角度（３６）が９０°と１８０°との間のとき、前記第２出力チャネル（１４2）中の前記左チャネル（Ｌ）の部分が前記上側チャネル（Ｈ）の部分よりも大きくなるように実行されるか、
又は、
前記入力インターフェースは、前記第１入力オーディオチャネル（１２1）として前記左チャネル（Ｌ）を受信し、前記第２入力オーディオチャネル（１２2）として前記右チャネル（Ｒ）を受信し、前記第３入力オーディオチャネル（１２3）として前記左上チャネル（ＨＬ）を受信し、前記第４入力オーディオチャネル（１２4）として前記右上チャネル（ＨＲ）を受信するよう構成されており、前記ミキサー（２２）は、９０°に等しい角度（３６）について、全体で３０％を超える前記第３入力オーディオチャネル（１２3）からの部分と３０％を超える前記第４入力オーディオチャネル（１２4）からの部分とを含む前記第１出力チャネル（１４1）、及び、全体で３０％を超える前記第１入力オーディオチャネル（１２1）からの部分と３０％を超える前記第２入力オーディオチャネル（１２2）からの部分とを含む前記第２出力チャネル（１４2）を生成するよう構成されているか、
又は、
前記入力インターフェースは、前記第１入力オーディオチャネル（１２1）として前記左チャネル（Ｌ）を受信し、前記第２入力オーディオチャネル（１２2）として前記右チャネル（Ｒ）を受信し、第５入力オーディオチャネル（１２5）として前記上側チャネル（Ｈ）を受信するよう構成されており、前記ミキサー（２２）は、９０°に等しい角度（３６）について、前記第５入力オーディオチャネル（１２5）を含む前記第１出力チャネル（１４1）、及び、前記第１入力オーディオチャネル（１２1）と前記第２入力オーディオチャネル（１２2）との組み合わせを含む前記第２出力チャネル（１４2）を生成するよう構成されている、
オーディオ処理器。
【請求項２】
前記入力インターフェースは、前記第１入力オーディオチャネル（１２1）として左チャネル（Ｌ）を受信し、前記第２入力オーディオチャネル（１２2）として右チャネル（Ｒ）を受信するよう構成されており、
前記角度（３６）が０°と９０°との間のとき、前記第１出力チャネル（１４1）中の前記左チャネル（Ｌ）の部分が前記右チャネル（Ｒ）の部分よりも大きく、
前記角度（３６）が０°と９０°との間のとき、前記第２出力チャネル（１４2）中の前記右チャネル（Ｒ）の部分が前記左チャネル（Ｌ）の部分よりも大きく、
前記角度（３６）が９０°と１８０°との間のとき、前記第１出力チャネル（１４1）中の前記右チャネル（Ｒ）の部分が前記左チャネル（Ｌ）の部分よりも大きく、
前記角度（３６）が９０°と１８０°との間のとき、前記第２出力チャネル（１４2）中の前記左チャネル（Ｌ）の部分が前記右チャネル（Ｒ）の部分よりも大きい、
請求項１に記載のオーディオ処理器。
【請求項３】
前記ミキサー（２２）は、前記第１出力チャネル（１４1）中の前記第２入力チャネル（１２2）の部分、前記第２出力チャネル（１４2）中の前記第１入力チャネル（１２1）の部分、前記第１出力チャネル（１４1）中の前記第１入力チャネル（１２1）の部分、又は前記第２出力チャネル（１４2）中の前記第２入力チャネル（１２2）の部分が、対応する他の部分に対して遅延されるよう構成されている、請求項１又は２に記載のオーディオ処理器。
【請求項４】
前記ミキサー（２２）は可変行列要素を有する行列処理部を含み、前記可変行列要素は前記位置信号に基づいて適合されている、請求項１〜３のいずれか一項に記載のオーディオ処理器。
【請求項５】
前記行列処理部は複素行列要素を使用するよう構成されている、請求項４に記載のオーディオ処理器。
【請求項６】
前記ミキサー（２２）は、
第１処理（Ｋ１）済みの第１入力オーディオチャネル（１２1）と第３処理（Ｋ３）済みの第２入力オーディオチャネル（１２2）とを加算する第１加算器（２４1）と、
第２処理（Ｋ２）済みの第１入力オーディオチャネル（１２2）と第４処理（Ｋ４）済みの第２入力オーディオチャネル（１２2）とを加算する第２加算器（２４2）とを備え、
前記第１処理（Ｋ１）済みの第１入力オーディオチャネル（１２1）は、第１ゲイン値を有する第１処理部（３４1）を使用して処理されており、
前記第２処理（Ｋ２）済みの第１入力オーディオチャネル（１２1）は、第２ゲイン値を有する第２処理部（３４2）を使用して処理されており、
前記第３処理（Ｋ３）済みの第２入力オーディオチャネル（１２2）は、第３ゲイン値を有する第３処理部（３４3）を使用して処理されており、
前記第４処理（Ｋ４）済みの第２入力オーディオチャネル（１２2）は、第４ゲイン値を有する第４処理部（３４4）を使用して処理されており、
前記第１ゲイン値と前記第４ゲイン値とは４５°と１３５°との間において減少し、前記第２ゲイン値と前記第３ゲイン値とは４５°と１３５°との間において増大する、請求項１〜５のいずれか一項に記載のオーディオ処理器。
【請求項７】
電気デバイス（３０）であって、
−請求項１〜６のいずれか一項に記載のオーディオ処理器（１０）と、
−前記２個のスピーカ（２６1、２６2）と、
−リスナー（２８）の耳軸（２０）に対する前記２個のスピーカ（２６1、２６2）の位置についての情報を検出し、前記検出器インターフェース（３２）に連結される位置信号（１８）を生成するための検出器（４０）と、を備える電気デバイス。
【請求項８】
−少なくとも２つの入力オーディオチャネル（１２1、１２2；１２3、１２4；１２5）を受信するステップであって、各入力オーディオチャネル（１２1、１２2；１２3、１２4；１２5）は１つのスピーカ軸（１６）上の２個のスピーカ（２６1、２６2）の所定の再生位置と関連付けられており、前記スピーカ軸は前記２個のスピーカ間の最短距離である、ステップと、
−リスナー（２８）の耳軸（２０）に対する前記２個のスピーカ（２６1、２６2）の位置についての情報を示す位置信号（１８）を受信するステップであって、前記耳軸（２０）と前記スピーカ軸（１６）とは互いに対して０°よりも大きく１８０°よりも小さい角度（３６）を有する、ステップと、
−前記位置信号（１８）に依存して前記少なくとも２つの入力オーディオチャネル（１２1、１２2；１２3、１２4；１２5）をミキシングし、２つの出力チャネル（１４1、１４2）を得るステップであって、
第１角度（３６）が第２角度（３６）よりも大きいとき、前記第１角度（３６）に係る第１出力チャネル（１４1）中の右（Ｒ）チャネルである第２入力オーディオチャネル（１２2）の部分が、前記第２角度（３６）に係る前記第１出力チャネル（１４1）中の前記第２入力オーディオチャネル（１２2）の部分よりも大きくなるようにミキシングするか、又は、
第１角度（３６）が第２角度（３６）よりも大きいとき、前記第１角度（３６）に係る前記第２出力チャネル（１４2）中の左（Ｌ）チャネルである第１入力オーディオチャネル（１２1）の部分が、前記第２角度（３６）に係る前記第２出力チャネル（１４2）中の前記第１入力オーディオチャネル（１２1）の部分よりも大きくなるようにミキシングする、ステップと、
−前記２つの出力チャネル（１４1、１４2）を前記２個のスピーカ（２６1、２６2）に出力するステップと、
を含むオーディオ処理のための方法であって、
第３入力オーディオチャネル（１２3）として左上チャネル（ＨＬ）が受信され、第４入力オーディオチャネル（１２4）として右上チャネル（ＨＲ）が受信され、前記ミキシングは、前記角度（３６）が０°と９０°との間のとき、前記第１出力チャネル（１４1）中の前記左上チャネル（ＨＬ）の部分が前記右チャネル（Ｒ）の部分よりも大きく、前記角度（３６）が０°と９０°との間のとき、前記第２出力チャネル（１４2）中の前記右チャネル（Ｒ）の部分が前記左上チャネル（ＨＬ）の部分よりも大きく、前記角度（３６）が９０°と１８０°との間のとき、前記第１出力チャネル（１４1）中の前記右上チャネル（ＨＲ）の部分が前記左チャネル（Ｌ）の部分よりも大きく、前記角度（３６）が９０°と１８０°との間のとき、前記第２出力チャネル（１４2）中の前記左チャネル（Ｌ）の部分が前記右上チャネル（ＨＲ）の部分よりも大きくなるように実行されるか、
又は、
上側チャネル（Ｈ）が受信され、前記ミキシングは、前記角度（３６）が０°と９０°との間のとき、前記第１出力チャネル（１４1）中の前記上側チャネル（Ｈ）の部分が前記右チャネル（Ｒ）の部分よりも大きく、前記角度（３６）が０°と９０°との間のとき、前記第２出力チャネル（１４2）中の前記右チャネル（Ｒ）の部分が前記上側チャネル（Ｈ）の部分よりも大きく、前記角度（３６）が９０°と１８０°との間のとき、前記第１出力チャネル（１４1）中の前記上側チャネル（Ｈ）の部分が前記左チャネル（Ｌ）の部分よりも大きく、前記角度（３６）が９０°と１８０°との間のとき、前記第２出力チャネル（１４2）中の前記左チャネル（Ｌ）の部分が前記上側チャネル（Ｈ）の部分よりも大きくなるように実行されるか、
又は、
前記第１入力オーディオチャネル（１２1）として前記左チャネル（Ｌ）が受信され、前記第２入力オーディオチャネル（１２2）として前記右チャネル（Ｒ）が受信され、前記第３入力オーディオチャネル（１２3）として前記左上チャネル（ＨＬ）が受信され、前記第４入力オーディオチャネル（１２4）として前記右上チャネル（ＨＲ）が受信され、前記ミキシングは、９０°に等しい角度（３６）について、全体で３０％を超える前記第３入力オーディオチャネル（１２3）からの部分と３０％を超える前記第４入力オーディオチャネル（１２4）からの部分とを含む前記第１出力チャネル（１４1）、及び、全体で３０％を超える前記第１入力オーディオチャネル（１２1）からの部分と３０％を超える前記第２入力オーディオチャネル（１２2）からの部分とを含む前記第２出力チャネル（１４2）を生成するように実行されるか、
又は、
前記入力インターフェースは、前記第１入力オーディオチャネル（１２1）として前記左チャネル（Ｌ）を受信し、前記第２入力オーディオチャネル（１２2）として前記右チャネル（Ｒ）を受信し、第５入力オーディオチャネル（１２5）として前記上側チャネル（Ｈ）を受信するよう構成されており、前記ミキシングは、９０°に等しい角度（３６）について、前記第５入力オーディオチャネル（１２5）を含む前記第１出力チャネル（１４1）、及び、前記第１入力オーディオチャネル（１２1）と前記第２入力オーディオチャネル（１２2）との組み合わせを含む前記第２出力チャネル（１４2）を生成するように実行される、
方法。
【請求項９】
コンピュータ又はプロセッサ上で作動されたとき、請求項８に記載の方法を実行するための、プログラムコードを含むコンピュータプログラム。
【手続補正書】
【提出日】平成28年3月3日(2016.3.3)
【手続補正１】
【補正対象書類名】特許請求の範囲
【補正対象項目名】全文
【補正方法】変更
【補正の内容】
【特許請求の範囲】
【請求項１】
−少なくとも２つの入力オーディオチャネル（１２1、１２2；１２3、１２4；１２5）を受信する入力インターフェースであって、各入力オーディオチャネル（１２1、１２2；１２3、１２4；１２5）は１つのスピーカ軸（１６）上の２個のスピーカ（２６1、２６2）の所定の再生位置と関連付けられており、前記スピーカ軸は前記２個のスピーカ間の最短距離である、入力インターフェースと、
−リスナー（２８）の耳軸（２０）に対する前記２個のスピーカ（２６1、２６2）の位置についての情報を示す位置信号（１８）を受信する検出器インターフェース（３２）であって、前記耳軸（２０）と前記スピーカ軸（１６）とは互いに対して０°よりも大きく１８０°よりも小さい角度（３６）を有する、検出器インターフェース（３２）と、
−前記位置信号（１８）に依存して前記少なくとも２つの入力オーディオチャネル（１２1、１２2；１２3、１２4；１２5）をミキシングし、２つの出力チャネル（１４1、１４2）を得るミキサー（２２）であって、
第１角度（３６）が第２角度（３６）よりも大きいとき、前記耳軸（２０）と前記スピーカ軸（１６）との間の前記第１角度（３６）に係る第１出力チャネル（１４1）中の右（Ｒ）チャネルである第２入力オーディオチャネル（１２2）の部分が、前記耳軸（２０）と前記スピーカ軸（１６）との間の前記第２角度（３６）に係る前記第１出力チャネル（１４1）中の前記第２入力オーディオチャネル（１２2）の部分よりも大きくなるようにミキシングするか、又は、
第１角度（３６）が第２角度（３６）よりも大きいとき、前記第１角度（３６）に係る前記第２出力チャネル（１４2）中の左（Ｌ）チャネルである第１入力オーディオチャネル（１２1）の部分が、前記第２角度（３６）に係る前記第２出力チャネル（１４2）中の前記第１入力オーディオチャネル（１２1）の部分よりも大きくなるようにミキシングする、ミキサーと、
−前記２つの出力チャネル（１４1、１４2）を前記２個のスピーカ（２６1、２６2）に出力する出力インターフェースと、
を備えるオーディオ処理器（１０）であって、
前記入力インターフェースは、第３入力オーディオチャネル（１２3）として左上チャネル（ＨＬ）を受信し、第４入力オーディオチャネル（１２4）として右上チャネル（ＨＲ）を受信するよう構成されており、前記ミキシングは、前記角度（３６）が０°と９０°との間のとき、前記第１出力チャネル（１４1）中の前記左上チャネル（ＨＬ）の部分が前記右チャネル（Ｒ）の部分よりも大きく、前記角度（３６）が０°と９０°との間のとき、前記第２出力チャネル（１４2）中の前記右チャネル（Ｒ）の部分が前記左上チャネル（ＨＬ）の部分よりも大きく、前記角度（３６）が９０°と１８０°との間のとき、前記第１出力チャネル（１４1）中の前記右上チャネル（ＨＲ）の部分が前記左チャネル（Ｌ）の部分よりも大きく、前記角度（３６）が９０°と１８０°との間のとき、前記第２出力チャネル（１４2）中の前記左チャネル（Ｌ）の部分が前記右上チャネル（ＨＲ）の部分よりも大きくなるように実行されるか、
又は、
前記入力インターフェースは、上側チャネル（Ｈ）を受信するよう構成されており、前記ミキシングは、前記角度（３６）が０°と９０°との間のとき、前記第１出力チャネル（１４1）中の前記上側チャネル（Ｈ）の部分が前記右チャネル（Ｒ）の部分よりも大きく、前記角度（３６）が０°と９０°との間のとき、前記第２出力チャネル（１４2）中の前記右チャネル（Ｒ）の部分が前記上側チャネル（Ｈ）の部分よりも大きく、前記角度（３６）が９０°と１８０°との間のとき、前記第１出力チャネル（１４1）中の前記上側チャネル（Ｈ）の部分が前記左チャネル（Ｌ）の部分よりも大きく、前記角度（３６）が９０°と１８０°との間のとき、前記第２出力チャネル（１４2）中の前記左チャネル（Ｌ）の部分が前記上側チャネル（Ｈ）の部分よりも大きくなるように実行されるか、
又は、
前記入力インターフェースは、前記第１入力オーディオチャネル（１２1）として前記左チャネル（Ｌ）を受信し、前記第２入力オーディオチャネル（１２2）として前記右チャネル（Ｒ）を受信し、前記第３入力オーディオチャネル（１２3）として前記左上チャネル（ＨＬ）を受信し、前記第４入力オーディオチャネル（１２4）として前記右上チャネル（ＨＲ）を受信するよう構成されており、前記ミキサー（２２）は、９０°に等しい角度（３６）について、全体で３０％を超える前記第３入力オーディオチャネル（１２3）からの部分と３０％を超える前記第４入力オーディオチャネル（１２4）からの部分とを含む前記第１出力チャネル（１４1）、及び、全体で３０％を超える前記第１入力オーディオチャネル（１２1）からの部分と３０％を超える前記第２入力オーディオチャネル（１２2）からの部分とを含む前記第２出力チャネル（１４2）を生成するよう構成されているか、
又は、
前記入力インターフェースは、前記第１入力オーディオチャネル（１２1）として前記左チャネル（Ｌ）を受信し、前記第２入力オーディオチャネル（１２2）として前記右チャネル（Ｒ）を受信し、第５入力オーディオチャネル（１２5）として前記上側チャネル（Ｈ）を受信するよう構成されており、前記ミキサー（２２）は、９０°に等しい角度（３６）について、前記第５入力オーディオチャネル（１２5）を含む前記第１出力チャネル（１４1）、及び、前記第１入力オーディオチャネル（１２1）と前記第２入力オーディオチャネル（１２2）との組み合わせを含む前記第２出力チャネル（１４2）を生成するよう構成されている、
オーディオ処理器。
【請求項２】
前記入力インターフェースは、前記第１入力オーディオチャネル（１２1）として左チャネル（Ｌ）を受信し、前記第２入力オーディオチャネル（１２2）として右チャネル（Ｒ）を受信するよう構成されており、
前記角度（３６）が０°と９０°との間のとき、前記第１出力チャネル（１４1）中の前記左チャネル（Ｌ）の部分が前記右チャネル（Ｒ）の部分よりも大きく、
前記角度（３６）が０°と９０°との間のとき、前記第２出力チャネル（１４2）中の前記右チャネル（Ｒ）の部分が前記左チャネル（Ｌ）の部分よりも大きく、
前記角度（３６）が９０°と１８０°との間のとき、前記第１出力チャネル（１４1）中の前記右チャネル（Ｒ）の部分が前記左チャネル（Ｌ）の部分よりも大きく、
前記角度（３６）が９０°と１８０°との間のとき、前記第２出力チャネル（１４2）中の前記左チャネル（Ｌ）の部分が前記右チャネル（Ｒ）の部分よりも大きい、
請求項１に記載のオーディオ処理器。
【請求項３】
前記ミキサー（２２）は、前記第１出力チャネル（１４1）中の前記第２入力チャネル（１２2）の部分、前記第２出力チャネル（１４2）中の前記第１入力チャネル（１２1）の部分、前記第１出力チャネル（１４1）中の前記第１入力チャネル（１２1）の部分、又は前記第２出力チャネル（１４2）中の前記第２入力チャネル（１２2）の部分が、対応する他の部分に対して遅延されるよう構成されている、請求項１又は２に記載のオーディオ処理器。
【請求項４】
前記ミキサー（２２）は可変行列要素を有する行列処理部を含み、前記可変行列要素は前記位置信号に基づいて適合されている、請求項１〜３のいずれか一項に記載のオーディオ処理器。
【請求項５】
前記行列処理部は複素行列要素を使用するよう構成されている、請求項４に記載のオーディオ処理器。
【請求項６】
前記ミキサー（２２）は、
第１処理（Ｋ１）済みの第１入力オーディオチャネル（１２1）と第３処理（Ｋ３）済みの第２入力オーディオチャネル（１２2）とを加算する第１加算器（２４1）と、
第２処理（Ｋ２）済みの第１入力オーディオチャネル（１２1）と第４処理（Ｋ４）済みの第２入力オーディオチャネル（１２2）とを加算する第２加算器（２４2）とを備え、
前記第１処理（Ｋ１）済みの第１入力オーディオチャネル（１２1）は、第１ゲイン値を有する第１処理部（３４1）を使用して処理されており、
前記第２処理（Ｋ２）済みの第１入力オーディオチャネル（１２1）は、第２ゲイン値を有する第２処理部（３４2）を使用して処理されており、
前記第３処理（Ｋ３）済みの第２入力オーディオチャネル（１２2）は、第３ゲイン値を有する第３処理部（３４3）を使用して処理されており、
前記第４処理（Ｋ４）済みの第２入力オーディオチャネル（１２2）は、第４ゲイン値を有する第４処理部（３４4）を使用して処理されており、
前記第１ゲイン値と前記第４ゲイン値とは４５°と１３５°との間において角度の増大につれて減少し、前記第２ゲイン値と前記第３ゲイン値とは４５°と１３５°との間において角度の増大につれて増大する、請求項１〜５のいずれか一項に記載のオーディオ処理器。
【請求項７】
電気デバイス（３０）であって、
−請求項１〜６のいずれか一項に記載のオーディオ処理器（１０）と、
−前記２個のスピーカ（２６1、２６2）と、
−リスナー（２８）の耳軸（２０）に対する前記２個のスピーカ（２６1、２６2）の位置についての情報を検出し、前記検出器インターフェース（３２）に連結される位置信号（１８）を生成するための検出器（４０）と、を備える電気デバイス。
【請求項８】
−少なくとも２つの入力オーディオチャネル（１２1、１２2；１２3、１２4；１２5）を受信するステップであって、各入力オーディオチャネル（１２1、１２2；１２3、１２4；１２5）は１つのスピーカ軸（１６）上の２個のスピーカ（２６1、２６2）の所定の再生位置と関連付けられており、前記スピーカ軸は前記２個のスピーカ間の最短距離である、ステップと、
−リスナー（２８）の耳軸（２０）に対する前記２個のスピーカ（２６1、２６2）の位置についての情報を示す位置信号（１８）を受信するステップであって、前記耳軸（２０）と前記スピーカ軸（１６）とは互いに対して０°よりも大きく１８０°よりも小さい角度（３６）を有する、ステップと、
−前記位置信号（１８）に依存して前記少なくとも２つの入力オーディオチャネル（１２1、１２2；１２3、１２4；１２5）をミキシングし、２つの出力チャネル（１４1、１４2）を得るステップであって、
第１角度（３６）が第２角度（３６）よりも大きいとき、前記第１角度（３６）に係る第１出力チャネル（１４1）中の右（Ｒ）チャネルである第２入力オーディオチャネル（１２2）の部分が、前記第２角度（３６）に係る前記第１出力チャネル（１４1）中の前記第２入力オーディオチャネル（１２2）の部分よりも大きくなるようにミキシングするか、又は、
第１角度（３６）が第２角度（３６）よりも大きいとき、前記第１角度（３６）に係る前記第２出力チャネル（１４2）中の左（Ｌ）チャネルである第１入力オーディオチャネル（１２1）の部分が、前記第２角度（３６）に係る前記第２出力チャネル（１４2）中の前記第１入力オーディオチャネル（１２1）の部分よりも大きくなるようにミキシングする、ステップと、
−前記２つの出力チャネル（１４1、１４2）を前記２個のスピーカ（２６1、２６2）に出力するステップと、
を含むオーディオ処理のための方法であって、
第３入力オーディオチャネル（１２3）として左上チャネル（ＨＬ）が受信され、第４入力オーディオチャネル（１２4）として右上チャネル（ＨＲ）が受信され、前記ミキシングは、前記角度（３６）が０°と９０°との間のとき、前記第１出力チャネル（１４1）中の前記左上チャネル（ＨＬ）の部分が前記右チャネル（Ｒ）の部分よりも大きく、前記角度（３６）が０°と９０°との間のとき、前記第２出力チャネル（１４2）中の前記右チャネル（Ｒ）の部分が前記左上チャネル（ＨＬ）の部分よりも大きく、前記角度（３６）が９０°と１８０°との間のとき、前記第１出力チャネル（１４1）中の前記右上チャネル（ＨＲ）の部分が前記左チャネル（Ｌ）の部分よりも大きく、前記角度（３６）が９０°と１８０°との間のとき、前記第２出力チャネル（１４2）中の前記左チャネル（Ｌ）の部分が前記右上チャネル（ＨＲ）の部分よりも大きくなるように実行されるか、
又は、
上側チャネル（Ｈ）が受信され、前記ミキシングは、前記角度（３６）が０°と９０°との間のとき、前記第１出力チャネル（１４1）中の前記上側チャネル（Ｈ）の部分が前記右チャネル（Ｒ）の部分よりも大きく、前記角度（３６）が０°と９０°との間のとき、前記第２出力チャネル（１４2）中の前記右チャネル（Ｒ）の部分が前記上側チャネル（Ｈ）の部分よりも大きく、前記角度（３６）が９０°と１８０°との間のとき、前記第１出力チャネル（１４1）中の前記上側チャネル（Ｈ）の部分が前記左チャネル（Ｌ）の部分よりも大きく、前記角度（３６）が９０°と１８０°との間のとき、前記第２出力チャネル（１４2）中の前記左チャネル（Ｌ）の部分が前記上側チャネル（Ｈ）の部分よりも大きくなるように実行されるか、
又は、
前記第１入力オーディオチャネル（１２1）として前記左チャネル（Ｌ）が受信され、前記第２入力オーディオチャネル（１２2）として前記右チャネル（Ｒ）が受信され、前記第３入力オーディオチャネル（１２3）として前記左上チャネル（ＨＬ）が受信され、前記第４入力オーディオチャネル（１２4）として前記右上チャネル（ＨＲ）が受信され、前記ミキシングは、９０°に等しい角度（３６）について、全体で３０％を超える前記第３入力オーディオチャネル（１２3）からの部分と３０％を超える前記第４入力オーディオチャネル（１２4）からの部分とを含む前記第１出力チャネル（１４1）、及び、全体で３０％を超える前記第１入力オーディオチャネル（１２1）からの部分と３０％を超える前記第２入力オーディオチャネル（１２2）からの部分とを含む前記第２出力チャネル（１４2）を生成するように実行されるか、
又は、
前記第１入力オーディオチャネル（１２1）として前記左チャネル（Ｌ）が受信され、前記第２入力オーディオチャネル（１２2）として前記右チャネル（Ｒ）が受信され、第５入力オーディオチャネル（１２5）として前記上側チャネル（Ｈ）が受信され、前記ミキシングは、９０°に等しい角度（３６）について、前記第５入力オーディオチャネル（１２5）を含む前記第１出力チャネル（１４1）、及び、前記第１入力オーディオチャネル（１２1）と前記第２入力オーディオチャネル（１２2）との組み合わせを含む前記第２出力チャネル（１４2）を生成するように実行される、
方法。
【請求項９】
コンピュータ又はプロセッサ上で作動されたとき、請求項８に記載の方法を実行するための、プログラムコードを含むコンピュータプログラム。
【手続補正２】
【補正対象書類名】明細書
【補正対象項目名】００１８
【補正方法】変更
【補正の内容】
【００１８】
オーディオ処理器の好ましい一実施形態において、ミキサーは、第１加算器及び第２加算器を備える。第１加算器は第１処理済みの第１入力オーディオチャネルと第３処理済みの第２入力オーディオチャネルとを加算し、第２加算器は第２処理済みの第１入力オーディオチャネルと第４処理済みの第２入力オーディオチャネルとを加算する。第１処理済みの第１入力オーディオチャネルは、第１ゲイン値を有する第１処理部を使用して処理されている。第２処理済みの第１入力オーディオチャネルは、第２ゲイン値を有する第２処理部を使用して処理されている。第３処理済みの第２入力オーディオチャネルは、第３ゲイン値を有する第３処理部を使用して処理されている。第４処理済みの第２入力オーディオチャネルは、第４ゲイン値を有する第４処理部を使用して処理されている。第１ゲイン値及び第４ゲイン値は４５°と１３５°との間で角度の増大につれて減少し、第２ゲイン値及び第３ゲイン値は４５°と１３５°との間で角度の増大につれて増大する。第１加算器及び第２加算器は、ミキサーが複数の入力オーディオチャネルを１つの出力チャネルへと加えることを可能にする。入力オーディオチャネルはゲイン値を含んでもよい。ゲイン値を有するミクス済み入力オーディオチャネルは、出力チャネルとしてスピーカに適用されてもよい。
【手続補正３】
【補正対象書類名】明細書
【補正対象項目名】００３０
【補正方法】変更
【補正の内容】
【００３０】
第１加算器２４1及び第２加算器２４2は、処理部３４1、３４2、３４3、３４4と出力チャネル１４1、１４2との間に接続されてもよい。加算器２４1、２４2の各々は少なくとも２つの処理済み入力チャネルを加算するものであり、処理済み入力チャネルの各々は処理部３４1、３４2、３４3、３４4を使用して処理されたものであり、処理部３４1、３４2、３４3、３４4は、ゲイン値Ｋ１、Ｋ２、Ｋ３、Ｋ４を用いて入力オーディオチャネル１２1、１２2を処理する。
【手続補正４】
【補正対象書類名】明細書
【補正対象項目名】００３４
【補正方法】変更
【補正の内容】
【００３４】
処理部、例えば、第１加算器２４1と接続されている処理部３４1、３４3からの加算されたゲイン値Ｋ１、Ｋ３の合計は、位置信号１８とは無関係に一定であってもよい。第２加算器２４2と接続されている処理部３４2、３４4からの加算されたゲイン値の合計もまた、位置信号１８とは無関係に一定であってもよい。ゲイン値Ｋ１、Ｋ２、Ｋ３、Ｋ４が０と１との間である場合、第１加算器２４1又は第２加算器２４2と接続されている処理部３４1、３４3又は３４2、３４4から加えられるゲイン値Ｋ１とＫ３、又はＫ２とＫ４の合計は１であり得る。例えば、処理部３４1、３４3は第１加算器２４1に接続されており、第１ゲイン値Ｋ１は０．２であり、第３ゲイン値Ｋ３は０．８である場合、第１加算器２４1における第１ゲイン値Ｋ１及び第３ゲイン値Ｋ３の合計は１になる。
【手続補正５】
【補正対象書類名】明細書
【補正対象項目名】００４６
【補正方法】変更
【補正の内容】
【００４６】
０°と１８０°との間の角度３６について、角度の増大につれて第１出力チャネル１４1中の第２入力オーディオチャネル１２2の部分は増大してもよく、第１出力チャネル１４1中の第１入力オーディオチャネル１２1の部分は減少してもよい。
【手続補正６】
【補正対象書類名】明細書
【補正対象項目名】００４９
【補正方法】変更
【補正の内容】
【００４９】
０°と１８０°との間の角度について、角度の増大につれて第２出力チャネル１４2中の第１入力オーディオチャネル１２1の部分は増大してもよく、第２出力チャネル１４2中の第２入力オーディオチャネル１２2の部分は減少してもよい。
【手続補正７】
【補正対象書類名】図面
【補正対象項目名】図１
【補正方法】変更
【補正の内容】
【図１】
2016527809.tif 000020
【手続補正８】
【補正対象書類名】図面
【補正対象項目名】図７
【補正方法】変更
【補正の内容】
【図７】
2016527809.tif 000021
【国際調査報告】
2016527809.tif 000022
2016527809.tif 000023